(57)【特許請求の範囲】
【請求項１】
外部から入力された映像データに基づいて画像を表示する表示装置において、互いに色が異なる複数のサブ画素又は単色の一のサブ画素からなる画素が複数個配列された表示部と、前記映像データに基づいて前記表示部を駆動する駆動部と、前記映像データから静止画像領域を検出する静止画像領域検出部と、前記静止画像領域に位置するサブ画素に焼付軽減処置を施す焼付軽減処置部と、を有し、
前記焼付軽減処置部は、前記静止画像領域における相互に隣接する画素対のうち、一方の画素の第１の色のサブ画素又は単色のサブ画素の画像データレベルと他方の画素の前記第１の色のサブ画素又は単色のサブ画素の画像データレベルとの差が設定値よりも大きい画素対を第１のエッジ部分として検出する第１のエッジ部分検出部と、前記第１のエッジ部分の画像データのレベルを調整して前記駆動部に対して出力するレベル調整部と、を有し、
前記第１のエッジ部分検出部は、前記第１のエッジ部分を構成する画素対のうち、その画像データレベルが相対的に高い第１のサブ画素が属する画素を含みその画像データのレベルが相対的に低い第２のサブ画素が属する画素から遠ざかる方向に連続して配置された複数個の画素からなる第１画素グループ、及び前記第２のサブ画素が属する画素を含み前記第１のサブ画素が属する画素から遠ざかる方向に連続して配置された複数個の画素からなる第２画素グループを検出するものであり、
前記レベル調整部は、前記第１画素グループ及び前記第２画素グループに相当する画像データのレベルを調整するものであり、
更に、前記第１のサブ画素が属する画素を含み前記第２のサブ画素を含む画素から遠ざかる方向に連続して配置された複数個の画素であって、前記第１の色のサブ画素の画像データレベルが設定値よりも高い画素の個数を高レベル領域の長さとして検出する第１のパターン太さ検出部を有し、
前記第１のエッジ部分検出部は、前記高レベル領域の長さが長い程、前記第１画素グループ及び前記第２画素グループの画素数を多くすることを特徴とする表示装置。
【請求項２】
外部から入力された映像データに基づいて画像を表示する表示装置において、互いに色が異なる複数のサブ画素又は単色の一のサブ画素からなる画素が複数個配列された表示部と、前記映像データに基づいて前記表示部を駆動する駆動部と、前記映像データから静止画像領域を検出する静止画像領域検出部と、前記静止画像領域に位置するサブ画素に焼付軽減処置を施す焼付軽減処置部と、を有し、
前記焼付軽減処置部は、前記静止画像領域における相互に隣接する画素対のうち、一方の画素の第１の色のサブ画素又は単色のサブ画素の画像データレベルと他方の画素の前記第１の色のサブ画素又は単色のサブ画素の画像データレベルとの差が設定値よりも大きい画素対を第１のエッジ部分として検出する第１のエッジ部分検出部と、前記第１のエッジ部分の画像データのレベルを調整して前記駆動部に対して出力するレベル調整部と、を有し、
前記第１のエッジ部分検出部は、前記第１のエッジ部分を構成する画素対のうち、その画像データレベルが相対的に高い第１のサブ画素が属する画素を含みその画像データのレベルが相対的に低い第２のサブ画素が属する画素から遠ざかる方向に連続して配置された複数個の画素からなる第１画素グループ、及び前記第２のサブ画素が属する画素を含み前記第１のサブ画素が属する画素から遠ざかる方向に連続して配置された複数個の画素からなる第２画素グループを検出するものであり、
前記レベル調整部は、前記第１画素グループに相当する画像データのレベルを調整するものであり、
更に、前記第１のサブ画素が属する画素を含み前記第２のサブ画素を含む画素から遠ざかる方向に連続して配置された複数個の画素であって、前記第１の色のサブ画素の画像データレベルが設定値よりも高い画素の個数を高レベル領域の長さとして検出する第１のパターン太さ検出部を有し、
前記第１のエッジ部分検出部は、前記高レベル領域の長さが長い程、前記第１画素グループ及び前記第２画素グループの画素数を多くすることを特徴とする表示装置。
【請求項３】
前記第２のサブ画素が属する画素を含み前記第１のサブ画素を含む画素から遠ざかる方向に連続して配置された複数個の画素であって、前記第１の色のサブ画素の画像データレベルが設定値よりも低い画素の個数を低レベル領域の長さとして検出する第２のパターン太さ検出部を有し、前記第１のエッジ部分検出部は、前記低レベル領域の長さが長い程、前記第１画素グループ及び前記第２画素グループの画素数を多くすることを特徴とする請求項１又は２に記載の表示装置。
【請求項４】
前記第１のエッジ部分検出部は、前記第１のサブ画素と前記第２のサブ画素との間の画像データのレベル差が大きい程、前記第１画素グループ及び前記第２画素グループの画素数を多くすることを特徴とする請求項１乃至３のいずれか１項に記載の表示装置。
【請求項５】
前記表示部と視聴者との間の距離を測定する距離測定部を更に有し、前記エッジ部分検出部は、前記距離測定部が測定した前記距離が大きい程、前記第１画素グループ及び前記第２画素グループにおける前記第１の画素から前記第２の画素に向かう方向の長さを長くすることを特徴とする請求項１乃至４のいずれか１項に記載の表示装置。
【請求項６】
前記距離測定部が、超音波を発振する超音波発振部と、前記視聴者により反射された前記超音波を検知する超音波センサと、前記超音波発振部が超音波を発振した時刻と前記超音波センサが超音波を受信した時刻との時間差から前記表示部と前記視聴者との間の距離を測定する距離測定部と、を有することを特徴とする請求項５に記載の表示装置。
【請求項７】
前記第１のサブ画素の画像データのレベルをＡとし、前記第２のサブ画素の画像データのレベルをＢとし、前記第１のサブ画素と前記第２のサブ画素との間の画像データのレベル差をＣ（Ｃ＝Ａ−Ｂ）とし、０乃至１の範囲でランダムな値をとるランダム係数をαとするとき、前記レベル調整部は、前記第１画素グループの前記第１の色のサブ画素の画像データのレベルを（Ａ−α×Ｃ）に置き換え、前記第２画素グループの前記第１の色のサブ画素の画像データのレベルを（Ｂ＋α×Ｃ）に置き換えるものであることを特徴とする請求項１乃至４のいずれか１項に記載の表示装置。
【請求項８】
前記レベル調整部は、前記第１画素グループ及び前記第２画素グループに属する画素のうち、前記第１のサブ画素及び前記第２のサブ画素が属する画素対に近い画素ほど、前記ランダム係数の値が小さくなるように設定することを特徴とする請求項７に記載の表示装置。
【請求項９】
カラー画像を表示するものであり、前記焼付軽減処置部は、前記レベル差を各色について独立して算出するものであることを特徴とする請求項７又は８に記載の表示装置。
【請求項１０】
前記レベル調整部は、前記ランダム係数として、各色について画素毎に共通の値を使用することを特徴とする請求項９に記載の表示装置。
【請求項１１】
前記レベル調整部は、前記第１画素グループ及び前記第２画素グループに属する前記第１の色のサブ画素の画像データのレベルを、前記第１のサブ画素が属する画素から前記第２のサブ画素が属する画素に向かう方向に沿って連続的に低くなるように調整するものであることを特徴とする請求項１乃至４のいずれか１項に記載の表示装置。
【請求項１２】
前記レベル調整部は、前記第１画素グループ及び前記第２画素グループに属する前記第１の色のサブ画素の画像データのレベルと、このサブ画素の前記第１のサブ画素が属する画素から前記第２のサブ画素が属する画素に向かう方向における位置との関数をローパスフィルタにかけて得られた関数に基づいて、前記第１の色のサブ画素の画像データのレベルを調整するものであることを特徴とする請求項１乃至４のいずれか１項に記載の表示装置。
【請求項１３】
カラー画像を表示するものであり、前記第１のサブ画素の画像データのレベルをＡとし、前記第２のサブ画素の画像データのレベルをＢとし、０乃至１の範囲でランダムな値をとるランダム係数をαとするとき、前記レベル調整部は、前記第１画素グループの前記第１の色の画像データのレベルを（α×Ａ）に置き換え、前記第２画素グループの前記第１の色の画像データのレベルを（α×Ｂ）に置き換えるものであることを特徴とする請求項１乃至４のいずれか１項に記載の表示装置。
【請求項１４】
前記レベル調整部は、前記ランダム係数として、各色について画素毎に共通の値を使用することを特徴とする請求項１３に記載の表示装置。
【発明の詳細な説明】
【技術分野】
【０００１】
本発明は、動画像及び静止画像の双方を含む映像を表示する表示装置に関する。
【背景技術】
【０００２】
表示装置の寿命を損なうことなく動画像を鮮明に表示するディスプレイ装置の表示制御方法が開示されている（特許文献１参照）。特許文献１には、ディスプレイ装置（表示装置）として、ＣＲＴ（Ｃａｔｈｏｄｅ−Ｒａｙ  Ｔｕｂｅ）が開示されている。以下、特許文献１に記載された表示装置をＣＲＴ表示装置と称する。
【０００３】
従来、コンピュータ用のＣＲＴ表示装置では、静止画像を長時間表示することが多いため、蛍光体として長残光蛍光体が使用されている。長残光蛍光体には、蛍光体の同一位置に長時間電子ビームが当たっても、蛍光体塗料疲れが残らないという特徴がある。また、コンピュータ用のＣＲＴ表示装置では、画像の輝度が低めに設定されている。
【０００４】
一方、テレビジョン用のＣＲＴ表示装置では、動画像の表示を主とするため、蛍光体として短残光蛍光体が使用されている。短残光蛍光体には、照射ビームの影響を最小限に抑えるという特徴がある。また、テレビジョン用のＣＲＴ表示装置では、動画像の表示を主とするため、画像の輝度がコンピュータ用のＣＲＴ表示装置より高めに設定されている。
【０００５】
近年では、コンピュータを使って動画像をＣＲＴ表示装置に表示させることが可能になり、ＣＲＴ表示装置に静止画像と動画像とが混在した画像が表示されるようになっている。静止画像と動画像とが混在した画像をＣＲＴ表示装置に表示する際に、焼き付きが起こる場合がある。焼き付きとは、静止画像が表示されるＣＲＴ表示装置の特定部分（静止画像領域と称する）が消耗し、静止画像領域に消耗した跡が残る現象をいう。焼き付きが起こる場合、ＣＲＴ表示装置の寿命が短くなる。
【０００６】
そこで、特許文献１に記載された表示制御方法は、静止画像及び／又は動画像を表示するための表示装置（ＣＲＴ表示装置）に対して画像出力を制御するものである。この表示制御方法は、まず、表示すべき画像に静止画像領域があるか否かを判定する。次に、画像に静止画像領域がなく動画像領域のみが存在するときは、この画像をそのまま表示装置に表示させ、動画像領域と静止画像領域が存在するときは、静止画像領域に黒ドットをランダムに付加して表示装置に画像を表示させる。特許文献１には、これにより、静止画領域における焼き付きを防止できると記載されている。
【０００７】
【特許文献１】特開平１０−１６１６２９号公報
【発明の開示】
【発明が解決しようとする課題】
【０００８】
しかしながら、上述の従来の技術には、以下に示すような問題点がある。画像中に動画像領域と静止画像領域とが存在するときに、静止画像領域に黒ドットをランダムに付加しても、静止画像領域の中の焼き付きが起こりやすい領域に黒ドットが付加されるとは限らない。このため、焼き付きの低減の大きな効果は期待できない。従って、焼き付きにより、視聴者から見て表示装置の画質が劣化してしまう。
【０００９】
本発明はかかる問題点に鑑みてなされたものであって、焼き付きを低減することにより画質の劣化を防止して、その寿命を長期化できる表示装置を提供することを目的とする。
【課題を解決するための手段】
【００１０】
本発明に係る表示装置は、外部から入力された映像データに基づいて画像を表示する表示装置において、互いに色が異なる複数のサブ画素又は単色の一のサブ画素からなる画素が複数個配列された表示部と、前記映像データに基づいて前記表示部を駆動する駆動部と、前記映像データから静止画像領域を検出する静止画像領域検出部と、前記静止画像領域に位置するサブ画素に焼付軽減処置を施す焼付軽減処置部と、を有し、
前記焼付軽減処置部は、前記静止画像領域における相互に隣接する画素対のうち、一方の画素の第１の色のサブ画素又は単色のサブ画素の画像データレベルと他方の画素の前記第１の色のサブ画素又は単色のサブ画素の画像データレベルとの差が設定値よりも大きい画素対を第１のエッジ部分として検出する第１のエッジ部分検出部と、前記第１のエッジ部分の画像データのレベルを調整して前記駆動部に対して出力するレベル調整部と、を有し、
前記第１のエッジ部分検出部は、前記第１のエッジ部分を構成する画素対のうち、その画像データレベルが相対的に高い第１のサブ画素が属する画素を含みその画像データのレベルが相対的に低い第２のサブ画素が属する画素から遠ざかる方向に連続して配置された複数個の画素からなる第１画素グループ、及び前記第２のサブ画素が属する画素を含み前記第１のサブ画素が属する画素から遠ざかる方向に連続して配置された複数個の画素からなる第２画素グループを検出するものであり、
前記レベル調整部は、前記第１画素グループ及び前記第２画素グループに相当する画像データのレベルを調整するものであり、
更に、前記第１のサブ画素が属する画素を含み前記第２のサブ画素を含む画素から遠ざかる方向に連続して配置された複数個の画素であって、前記第１の色のサブ画素の画像データレベルが設定値よりも高い画素の個数を高レベル領域の長さとして検出する第１のパターン太さ検出部を有し、
前記第１のエッジ部分検出部は、前記高レベル領域の長さが長い程、前記第１画素グループ及び前記第２画素グループの画素数を多くすることを特徴とする。
【発明の効果】
【００１２】
本発明によれば、静止画像領域に位置するサブ画素に焼付軽減処置を施すことにより、焼き付きを低減させることができる。これにより、表示装置の画質の劣化を防止して、その寿命を長くすることができる。
【発明を実施するための最良の形態】
【００１３】
以下、本発明の実施形態について添付の図面を参照して具体的に説明する。
【００１４】
（第１の実施形態）
先ず、本発明の第１の実施形態について説明する。図１は、本発明の第１実施形態に係る表示装置の構成を示すブロック図である。図１に示す表示装置１０は、図示しないテレビジョン、コンピュータ用の表示装置として使われる。テレビジョンは、図示しない操作スイッチ、リモート端末、デコーダ、チューナを含む。コンピュータは、図示しない操作スイッチ（例示；キーボード、ポインティングデバイス）、コンピュータ本体（例示；ハードディスク、メモリ）を含む。
【００１５】
この表示装置１０は、映像信号処理部１、スイッチ２、静止画像領域検出部３、スイッチ４、駆動部５、表示装置本体６、スイッチ１６、静止画像レベル調整部１７を具備する。表示装置本体６としては、プラズマディスプレイ、ＬＣＤ（Ｌｉｑｕｉｄ  Ｃｒｙｓｔａｌ  Ｄｉｓｐｌａｙ）、ＥＬ（Ｅｌｅｃｔｒｏｌｕｍｉｎｅｓｃｅｎｃｅ）ディスプレイ、ＣＲＴ（Ｃａｔｈｏｄｅ−Ｒａｙ  Ｔｕｂｅ）が例示される。本実施例では、表示装置本体６をプラズマディスプレイとし、図１には表示装置本体６（プラズマディスプレイ）の前面側としてプラズマディスプレイパネル（ＰＤＰ）が示されている。静止画像レベル調整部１７は、ＣＰＵ（Ｃｅｎｔｒａｌ  Ｐｒｏｃｅｓｓｉｎｇ  Ｕｎｉｔ）１５を具備する。表示装置本体６においては、複数個の画素が例えばマトリクス状に配列されている。そして、この表示装置本体６がカラー表示装置である場合には、各画素は相互に色が異なる複数のサブ画素からなる。例えば、１つの画素が、赤色（Ｒ）、緑色（Ｇ）及び青色（Ｂ）の３つのサブ画素から構成されている。また、表示装置本体６がモノクロ表示装置である場合には、各画素は単色の一のサブ画素からなる。駆動部５は表示装置本体６を駆動するものである。
【００１６】
映像信号処理部１は、外部、例えば、テレビジョンのデコーダ又はコンピュータ本体等から入力される映像信号１００を、駆動部５が表示装置本体６を駆動するのに適した映像データ５３に変換するものである。また、静止画像領域検出部３は、映像信号処理部１から出力された映像データ５３に静止画像データが含まれるか否かを調べるものである。更に、静止画像レベル調整部１７は、映像データ５３に含まれる静止画像データにおいて、相互に隣接する複数の画素対のうち、画像データのレベル差が予め設定された設定レベル差以上となる画素対をエッジ部分として検出し、このエッジ部分を含んで連続して配置されている画素グループの画像データのレベルを調整し、調整後の画像データを駆動部５に対して出力するものである。
【００１７】
そして、表示装置１０は、通常モード及びレベル調整動作モードを切替えて実行することができる。表示装置１０が通常動作モードを実行するときは、映像信号処理部１から出力された映像データ５３は駆動部５に直接転送され、駆動部５がこの映像データ５３に基づいて表示装置本体６を駆動する。一方、表示装置１０がレベル調整動作モードを実行するときは、映像信号処理部１から出力された映像データ５３は静止画像領域検出部３に入力される。そして、静止画像領域検出部３が映像データ５３中に静止画像データを検出したときは、映像データ５３が映像信号処理部１からスイッチ２を介して静止画像レベル調整部１７に入力され、静止画像レベル調整部１７がエッジ部分を含む画素グループの画像データのレベルを調整し、調整後の映像データを駆動部５に対して出力する。駆動部５はこの映像データ５３に基づいて表示装置本体６を駆動する。また、上述の映像信号の転送経路は、スイッチ２、４及び１６を切替えることにより制御する。
【００１８】
スイッチ２は、静止画像レベル調整部１７内のＣＰＵ１５からの信号により切り替わるものである。ＣＰＵ１５には、視聴者からの指示（例示；操作スイッチ、リモート端末の操作）によりレベル調整動作設定信号６１、又は、通常動作設定信号６２が供給される。
【００１９】
ＣＰＵ１５にレベル調整動作設定信号６１が供給された場合は、ＣＰＵ１５は、レベル調整動作設定信号６１に応じて、映像信号処理部１と静止画像領域検出部３とがスイッチ２を介して接続され、映像信号処理部１と駆動部５とがスイッチ２、スイッチ１６を介して接続されるように、スイッチ２を制御する。即ち、表示装置１０にレベル調整動作設定信号６１が入力された場合、表示装置１０はレベル調整動作モードとなり、スイッチ２により映像信号処理部１を静止画像領域検出部３に接続する。
【００２０】
ＣＰＵ１５に通常動作設定信号６２が供給された場合は、ＣＰＵ１５は、通常動作設定信号６２に応じて、映像信号処理部１と駆動部５とがスイッチ２を介して接続されるように、スイッチ２を制御する。即ち、表示装置１０に通常動作設定信号６２が入力された場合、表示装置１０は通常動作モードとなり、スイッチ２により映像信号処理部１を駆動部５に接続する。
【００２１】
スイッチ４は、静止画像領域検出部３からの信号により切り替わるものである。静止画像領域検出部３と静止画像レベル調整部１７とはスイッチ４を介して接続されている。静止画像領域検出部３からの信号がスイッチ４に供給された場合、静止画像領域検出部３と駆動部５とがスイッチ４、スイッチ１６を介して接続される。
【００２２】
スイッチ１６は、静止画像レベル調整部１７からの信号により切り替わるものである。静止画像レベル調整部１７からの信号がスイッチ１６に供給された場合、静止画像レベル調整部１７と駆動部５とがスイッチ１６を介して接続される。
【００２３】
通常動作モードの場合、映像信号処理部１は、映像データ５３を駆動部５に出力する。駆動部５は、映像データ５３が表示されるように表示装置本体６を駆動する。視聴者は、表示装置本体６に表示された映像データ５３を見ることができる。
【００２４】
レベル調整動作モードの場合、映像信号処理部１は、映像データ５３を静止画像領域検出部３に出力し、スイッチ１６を介して映像データ５３を駆動部５に出力する。静止画像領域検出部３は、映像データ５３に静止画像データが含まれるか否かを調べる。なお、画像データとは、１画面分の画像又はその一部に相当するデータをいい、映像データとは、時間的に連続する複数の画面に相当するデータをいう。即ち、映像データはひとまとまりの複数の画像データの集合体であり、動画像を表すデータである。
【００２５】
映像データ５３が静止画像データを含まない場合、静止画像領域検出部３と駆動部５とを接続するための信号をスイッチ４に供給する。駆動部５は、映像データ５３が表示されるように表示装置本体６を駆動する。視聴者は、表示装置本体６に表示された映像データ５３（動画像データ）を見ることができる。
【００２６】
映像データ５３が静止画像データを含む場合、静止画像領域検出部３は、スイッチ４を介して、映像データ５３を静止画像レベル調整部１７に出力する。静止画像レベル調整部１７は、映像データ５３を出力するときに、静止画像レベル調整部１７と駆動部５とを接続するための信号をスイッチ１６に供給する。後述するように、静止画像レベル調整部１７は、映像データ５３に含まれる静止画像データのうち、隣り合う画素対において画像データのレベル差が大きい画素対を含む領域の画像データのレベルを調整して、スイッチ１６を介して、映像データ５３を駆動部５に出力する。なお、表示装置本体６がカラー表示装置であり、表示装置本体６の各画素が相互に色が異なる複数のサブ画素からなる場合には、静止画像レベル調整部１７は、同色のサブ画素間で画像データのレベル差を算出する。駆動部５は、映像データ５３が表示されるように表示装置本体６を駆動する。視聴者は、表示装置本体６に表示された映像データ５３（静止画像データ、動画像データ）を見ることができる。
【００２７】
静止画像データを含む映像データ５３を表示装置本体６に表示した場合、静止画像データが表示される表示装置本体６の特定部分（静止画像領域）が消耗し、静止画像領域に消耗した跡が残る現象が起こる可能性がある。即ち、焼き付きが発生する。本実施形態の表示装置１０によれば、映像データ５３が静止画像データを含む場合、静止画像データのレベルを調整することにより、焼き付きを低減させることができる。焼き付きを低減させることにより、表示装置本体６（表示装置１０）の寿命を従来のそれよりも長くすることができる。
【００２８】
静止画像レベル調整部１７は、検出部７及びレベル調整部１３を具備する。レベル調整部１３は、後述する第１ノイズ発生部１４及び上述のＣＰＵ１５を具備する。検出部７は、映像データ５３に含まれる静止画像データから隣り合う画素対の画像データのレベル差Ｃを夫々算出し、レベル差Ｃが予め設定された設定レベル差を超えるか否かを調べるものである。検出部７は、レベル差Ｃに基づく制御信号をレベル調整部１３に対して出力する。
【００２９】
レベル差Ｃが設定レベル差以下である場合、検出部７は、映像信号処理部１から出力された映像データ５３が駆動部５に出力されるように、スイッチ１６を制御する。一方、レベル差Ｃが設定レベル差を超える場合、レベル調整部１３は、レベル差Ｃに基づいて、静止画像領域の各画素の画像データレベルを調整して、スイッチ１６を介して、映像データ５３を駆動部５に出力する。
【００３０】
レベル差Ｃが設定レベル差を超える場合、焼き付きが起こる可能性がある。本実施形態の表示装置１０によれば、レベル差Ｃが設定レベル差を超える場合、映像データ５３に含まれる静止画像データの各画素の隣り合う画素の画像データのレベルを調整することにより、焼き付きを低減させることができる。
【００３１】
図２は、横軸に位置をとり縦軸に画像データのレベルをとって、本実施形態における画像データレベルの空間分布を示すグラフ図である。表示装置１０内の静止画像レベル調整部１７について図１及び図２を用いて詳細に説明する。静止画像レベル調整部１７の検出部７は、ＨＰＦ（ハイパスフィルター）９及びコアリング１１を含む。静止画像領域検出部３からの映像データ５３はＨＰＦ９に通される。ＨＰＦ９は、映像データ５３に含まれる静止画像データから隣り合う画素対のレベル差Ｃを算出して、この画素対の位置情報と共にコアリング１１に出力する。このとき、相互に隣接する１対の画素のうち、画像データのレベル値が高い画素、即ち、相対的に明るい画素における画像データのレベル値をＡとし、画像データのレベル値が低い画素、即ち、相対的に暗い画素における画像データのレベル値をＢとするとき、この１対の画素間のレベル差Ｃは、Ｃ＝Ａ−Ｂにより表される。
【００３２】
なお、表示装置１０がカラー表示装置であり、表示装置本体６の各画素がＲＧＢの３つのサブ画素から構成されている場合は、同色のサブ画素間においてレベル差Ｃを求める。即ち、上述の相互に隣り合う１対の画素のうち、一方の画素の例えば赤色のサブ画素の画像データレベルと、他方の画素の例えば赤色のサブ画素の画像データレベルとの間のレベル差を算出する。本実施形態の他の部分及び後述する他の実施形態においても同様に、画像データの処理はサブ画素を基本単位として行われるが、以下の説明においては、説明を簡略化するために、単に「画素の画像データ」ということもある。
【００３３】
コアリング１１は、上述の画素対のレベル差Ｃを予め設定された設定レベル差と比較し、レベル差Ｃが設定レベル差を超えるような１対の画素をエッジ部分６０として検出する。そして、このエッジ部分６０を構成する１対の画素のうちレベル値がＡである第１の画素を含み、エッジ部分６０を構成する１対の画素のうちレベル値がＢである第２の画素から遠ざかる方向に連続して配列された所定個の画素を第１画素グループ５１とし、前記第２の画素を含み、前記第１の画素から遠ざかる方向に連続して配列された所定個の画素を第２画素グループ５２とする。そして、この検出結果、即ち、レベル差Ｃ並びに第１画素グループ５１及び第２画素グループ５２の位置情報に基づく制御信号を、レベル調整部１３に出力する。
【００３４】
レベル調整部１３は、レベル差Ｃに基づいて、第１画素グループ５１及び第２画素グループ５２（以下、総称して画素グループともいう）に属する画素の画像データレベルを調整する。その後、この調整後の映像データ５３を、スイッチ１６を介して駆動部５に出力する。
【００３５】
焼き付きは、映像データ５３に含まれる静止画像データの第１画素グループ５１と第２画素グループ５２の境界を挟んで隣り合う画素対であるエッジ部分６０、及び、エッジ部分６０の近傍で目立ちやすい。本発明の表示装置１０によれば、レベル差Ｃが設定レベル差を超える場合、静止画像データの第１画素グループ５１と第２画素グループ５２の境界を挟んで隣り合う画素であるエッジ部分６０、及び、エッジ部分６０の近傍の画像データのレベルを調整することにより、目立たなくすることができる。
【００３６】
視聴者からの指示（操作スイッチ、リモート端末の操作）により調整信号６３がＣＰＵ１５に供給される。ＣＰＵ１５は、調整信号６３に応じて、制御信号６６をレベル調整部１３の調整部（後述）に出力する。レベル調整部１３の調整部は、制御信号６６に応じて、レベル差Ｃを調整するための調整値を生成する。ここで、調整値は、（α×Ｃ）により表され、αは、ランダム係数（調整係数）を表し、０≦α≦１を満たす正数である。レベル調整部１３の調整部（後述）は、調整値（α×Ｃ）に基づいて、第１画素グループ５１と第２画素グループ５２の境界を挟んで隣り合う画素であるエッジ部分６０、及び、エッジ部分６０の近傍の画像データのレベルを調整して、スイッチ１６を介して、映像データ５３を駆動部５に出力する。なお、エッジ部分６０を構成する画素対の配列方向において、第１画素グループ５１の長さをＬ１とし、第２画素グループ５２の長さをＬ２とする。また、画素グループ全体の幅をＬとする。Ｌ＝Ｌ１＋Ｌ２である。
【００３７】
レベル調整部１３の調整部は、第１ノイズ発生部１４を含む。第１ノイズ発生部１４は、画素グループのレベルを調整するときに、レベル差Ｃに加えて、オリジナルの画像データのレベル値Ａ、Ｂが必要であるため、映像信号処理部１からの映像信号５３を入力する。第１ノイズ発生部１４は、制御信号６６に応じて、レベル差Ｃにランダム係数αを乗じて調整値（α×Ｃ）を生成し、空間的な幅が所定幅Ｌ（Ｌ１＋Ｌ２）であり、強度が調整値（α×Ｃ）であるノイズ７０を生成する。第１ノイズ発生部１４は、画素グループ、即ち、第１画素グループ５１と第２画素グループ５２の境界を挟んで隣り合う画素であるエッジ部分６０、及び、エッジ部分６０の近傍にノイズ７０を付加する。このとき、第１ノイズ発生部１４は、調整値（α×Ｃ）に基づいて、第１画素グループ５１の画像データのレベルを調整し、第２画素グループ５２の画像データのレベルを調整する。
【００３８】
ここで、上述の如く、第１画素グループ５１の画像データのレベルを表す第１レベル値Ａが第２画素グループ５２の画像データのレベルを表す第２レベル値Ｂより高いものとする。この場合、第１ノイズ発生部１４は、第１画素グループ５１の画像データのレベルを調整するとき、第１画素グループ５１の画像データのレベルを表す第１レベル値Ａに調整値（α×Ｃ）を減算して第１調整レベル値（Ａ−α×Ｃ）を生成する。また、第１ノイズ発生部１４は、第２画素グループ５２の画像データのレベルを調整するとき、第２画素グループ５２の画像データのレベルを表す第２レベル値Ｂに調整値（α×Ｃ）を加算して第２調整レベル値（Ｂ＋α×Ｃ）を生成する。これにより、第１ノイズ発生部１４は、第１画素グループ５１と第２画素グループ５２の画像データのレベルを調整する。これにより、エッジ部６０を含む画素グループにおける焼き付きの発生を防止することができる。
【００３９】
しかしながら、映像データ５３に含まれる静止画像データのレベルを調整することにより、調整された静止画像データは、動画像と比較して、視聴者から画質が劣化しているように認識されてしまう可能性がある。そこで、ノイズを与える所定幅Ｌ（Ｌ１＋Ｌ２）を、視聴者により調整可能にする。
【００４０】
ＣＰＵ１５には、視聴者からの指示（操作スイッチ、リモート端末の操作）により調整信号６３、近距離調整信号６４、遠距離調整信号６５のいずれかが供給される。
【００４１】
ＣＰＵ１５に調整信号６３が供給された場合、ＣＰＵ１５は、調整信号６３に応じて、制御信号６６を第１ノイズ発生部１４に出力する。第１ノイズ発生部１４は、制御信号６６に応じて、空間的な幅が上述の所定幅Ｌ（Ｌ１＋Ｌ２）であり、画像データのレベルが上述の調整値（α×Ｃ）であるノイズ７０を発生する。
【００４２】
ＣＰＵ１５に近距離調整信号６４が供給された場合、ＣＰＵ１５は、近距離調整信号６４に応じて、近距離制御信号６７を第１ノイズ発生部１４に出力する。第１ノイズ発生部１４は、近距離制御信号６７に応じて、空間的な幅が上述の所定幅Ｌ（Ｌ１＋Ｌ２）よりも小さい第１所定幅Ｌａ（Ｌ１ａ＋Ｌ２ａ）（例示；Ｌａ＝０．８×Ｌ）であり、画像データのレベルが上述の調整値（α×Ｃ）であるノイズ７０を発生する。
【００４３】
ＣＰＵ１５に遠距離調整信号６５が供給された場合、ＣＰＵ１５は、遠距離調整信号６５に応じて、遠距離制御信号６８を第１ノイズ発生部１４に出力する。第１ノイズ発生部１４は、遠距離制御信号６８に応じて、空間的な幅が上述の所定幅Ｌ（Ｌ１＋Ｌ２）よりも大きい第２所定幅Ｌｂ（Ｌ１ｂ＋Ｌ２ｂ）（例示；Ｌｂ＝１．２×Ｌ）であり、画像データのレベルが上述の調整値（α×Ｃ）であるノイズ７０を発生する。
【００４４】
このように、画像データレベルを調整する幅を制御することによって、視聴者から見た画質劣化を最小限に留めることができる。
【００４５】
なお、表示装置１０において、例えば、静止画像領域検出部３が静止画像領域を検出するためには、一定時間分の映像データを調査する必要があり、従って一定の時間を必要とする。また、検出部７がエッジ部分を検出するためにも一定の時間が必要であり、第１ノイズ発生部１４が画像データにノイズを付加するためにも一定の時間が必要である。従って、これらの回路を経た画像データは、これらの回路を迂回した画像データと比較して、遅れが発生する。このため、表示装置１０には、画像データのタイミングを調整する遅延回路（図示せず）が、各所に設けられている。例えば、スイッチ２と静止画像領域検出部３との間のノードと第１ノイズ発生部１４との間、及び前記ノードとスイッチ１６との間等に遅延回路が設けられている。遅延回路は例えばバッファメモリ又はリレー等から構成されている。
【００４６】
本実施形態に係る表示装置１０の動作について説明する。表示装置１０は、（Ｉ）モード設定処理、（ＩＩ）通常動作モード、（ＩＩＩ）ＣＰＵ１５によるレベル調整動作モード、（ＩＶ）レベル調整動作モードを実行する。
【００４７】
図３は、本実施形態に係る表示装置１０の動作として（Ｉ）モード設定処理を示すフローチャートである。
【００４８】
視聴者が、操作スイッチ又はリモート端末を用いて、電源（表示装置１０の電源、表示装置１０に接続されたテレビジョンの電源、表示装置１０に接続されたコンピュータの電源）を表示装置１０に投入した場合、操作スイッチ又はリモート端末からＣＰＵ１５にレベル調整動作設定信号６１が供給される。また、視聴者が、（ＩＩ）通常動作モードを実行している表示装置１０に、操作スイッチ又はリモート端末を用いて、レベル調整動作設定信号６１を供給した場合も、ＣＰＵ１５にレベル調整動作設定信号６１が供給される。ＣＰＵ１５は、レベル調整動作設定信号６１に応じて、映像信号処理部１と静止画像領域検出部３とが接続されるようにスイッチ２を制御する（ステップＳ１−ＹＥＳ）。映像信号処理部１と静止画像領域検出部３とが接続された場合、表示装置１０は、（ＩＶ）レベル調整動作モードを実行する（ステップＳ２）。
【００４９】
一方、視聴者が、（ＩＶ）レベル調整動作モードを実行している表示装置１０に、操作スイッチ又はリモート端末を用いて、通常動作設定信号６２を供給した場合、ＣＰＵ１５は、通常動作設定信号６２に応じて、映像信号処理部１と駆動部５とが接続されるようにスイッチ２を制御する（ステップＳ１−ＮＯ、Ｓ３）。映像信号処理部１と駆動部５とが接続された場合、表示装置１０は、（ＩＩ）通常動作モードを実行する（ステップＳ４）。
【００５０】
図４は、本発明の表示装置１０の動作として（ＩＩ）通常動作モードを示すフローチャートである。
【００５１】
映像信号処理部１は、外部（テレビジョンのデコーダ、コンピュータ）からの映像信号１００を、駆動部５が表示装置本体６を駆動するのに適した映像データ５３に変換する（映像データ変換処理；ステップＳ５）。映像信号処理部１に変換された映像データ５３は駆動部５に出力される。駆動部５は、映像データ５３が表示されるように表示装置本体６を駆動する（表示処理；ステップＳ６）。表示装置本体６に表示された映像データ５３は、視聴者により視認される。
【００５２】
図５は、本発明の表示装置１０の動作として（ＩＩＩ）ＣＰＵ１５によるレベル調整動作モードを示すフローチャートである。
【００５３】
視聴者が、操作スイッチ又はリモート端末を用いて、表示装置１０に調整信号６３を供給した場合、この調整信号６３はＣＰＵ１５に供給される（ステップＳ１１−ＹＥＳ）。ＣＰＵ１５は、調整信号６３に応じて、制御信号６６を第１ノイズ発生部１４に出力する（ステップＳ１２）。第１ノイズ発生部１４は、ＣＰＵ１５からの制御信号６６に応じて、上述の所定幅Ｌ（Ｌ１＋Ｌ２）と上述の調整値α×Ｃとを有するノイズ７０を発生する。
【００５４】
視聴者が、操作スイッチ又はリモート端末を用いて、表示装置１０に近距離調整信号６４を供給した場合、この近距離調整信号６４はＣＰＵ１５に供給される（ステップＳ１１−ＮＯ、Ｓ１３−ＹＥＳ）。ＣＰＵ１５は、近距離調整信号６４に応じて、近距離制御信号６７を第１ノイズ発生部１４に出力する（ステップＳ１４）。第１ノイズ発生部１４は、ＣＰＵ１５からの近距離制御信号６７に応じて、上述の第１所定幅Ｌａ（Ｌ１ａ＋Ｌ２ａ）（Ｌａ＝０．８×Ｌ）と上述の調整値α×Ｃとを有するノイズ７０を発生する。
【００５５】
視聴者が、操作スイッチ又はリモート端末を用いて、表示装置１０に遠距離調整信号６５を供給した場合、この遠距離調整信号６５はＣＰＵ１５に供給される（ステップＳ１１−ＮＯ、Ｓ１３−ＮＯ、Ｓ１５）。ＣＰＵ１５は、遠距離調整信号６５に応じて、遠距離制御信号６８を第１ノイズ発生部１４に出力する（ステップＳ１６）。第１ノイズ発生部１４は、ＣＰＵ１５からの遠距離制御信号６８に応じて、上述の第２所定幅Ｌｂ（Ｌ１ｂ＋Ｌ２ｂ）（Ｌｂ＝１．２×Ｌ）と上述の調整値α×Ｃとを有するノイズ７０を発生する。
【００５６】
図６は、本発明の表示装置１０の動作として（ＩＶ）レベル調整動作モードを示すフローチャートである。
【００５７】
映像信号処理部１は、上述の映像データ変換処理（ステップＳ５）を実行する。映像信号処理部１に変換された映像データ５３は静止画像領域検出部３に出力される。静止画像領域検出部３は、映像データ５３に静止画像データが含まれるか否かを調べる（ステップＳ２１）。
【００５８】
映像データ５３が静止画像データを含まない場合、静止画像領域検出部３と駆動部５とを接続するための信号をスイッチ４に供給し、スイッチ４、スイッチ１６を介して、映像データ５３を駆動部５に出力する（ステップＳ２１−ＮＯ）。駆動部５は、上述の表示処理（ステップＳ６）を実行する。表示装置本体６に表示された映像データ５３は、視聴者により視認される。
【００５９】
映像データ５３が静止画像データを含む場合、静止画像領域検出部３は、スイッチ４を介して、映像データ５３を静止画像レベル調整部１７内の検出部７に出力する（ステップＳ２１−ＹＥＳ）。検出部７は、映像データ５３が入力されたときに、静止画像レベル調整部１７と駆動部５とを接続するための信号をスイッチ１６に供給する。静止画像領域検出部３からの映像データ５３は、検出部７内のＨＰＦ９に通される。検出部７内のＨＰＦ９は、映像データ５３に含まれる静止画像データにおける隣り合う画素対の画像データのレベル差Ｃを算出し、検出部７内のコアリング１１に出力する（レベル差算出処理；ステップＳ２２）。
【００６０】
コアリング１１は、静止画像領域における全ての画素対においてレベル差Ｃが設定レベル差以下である場合、映像信号処理部１から出力された映像データ５３が駆動部５に出力されるように、スイッチ１６を制御する（ステップＳ２３−ＮＯ）。駆動部５は、上述の表示処理（ステップＳ６）として、映像データ５３が表示されるように表示装置本体６を駆動する。表示装置本体６に表示された映像データ５３は、視聴者により視認される。
【００６１】
コアリング１１は、いずれかの画素対の画像データのレベル差Ｃが設定レベル差を超える場合（ステップＳ２３−ＹＥＳ）、この画素対をエッジ部分６０として検出し、レベル差Ｃ並びに第１画素グループ５１及び第２画素グループ５２の位置情報に基づく制御信号を、レベル調整部１３内の第１ノイズ発生部１４に出力する（エッジ部検出処理；ステップＳ２４）。エッジ部検出処理（ステップＳ２４）が実行された後、第１ノイズ発生部１４は、第１ノイズ付加処理を実行する（ステップＳ２５）。
【００６２】
第１ノイズ発生部１４にＣＰＵ１５から制御信号６６が供給された場合、第１ノイズ付加処理（ステップＳ２５）において、第１ノイズ発生部１４は制御信号６６に応じて、空間的な幅が上述の所定幅Ｌ（Ｌ１＋Ｌ２）であり、強度が上述の調整値（α×Ｃ）であるノイズ７０を発生している。即ち、第１ノイズ発生部１４は、幅がＬである画素グループ（第１画素グループ５１及び第２画素グループ５２）にノイズ７０を付加する。このとき、第１ノイズ発生部１４は、第１画素グループ５１のレベル値Ａから調整値（α×Ｃ）を減算して第１調整レベル値（Ａ−α×Ｃ）を生成し、第２画素グループ５２のレベル値Ｂに調整値（α×Ｃ）を加算して第２調整レベル値（Ｂ＋α×Ｃ）を生成する。第１ノイズ発生部１４は、第１画素グループ５１の画像データのレベルと、第２画素グループ５２の画像データのレベルとが調整された映像データ５３を、スイッチ１６を介して、駆動部５に出力する。駆動部５は、上述の表示処理（ステップＳ６）を実行する。表示装置本体６に表示された映像データ５３は、視聴者により視認される。
【００６３】
第１ノイズ発生部１４にＣＰＵ１５から近距離制御信号６７が供給された場合、第１ノイズ付加処理（ステップＳ２５）において、第１ノイズ発生部１４は近距離制御信号６７に応じて、空間的な幅が上述の第１所定幅Ｌａ（Ｌ１ａ＋Ｌ２ａ）（Ｌａ＝０．８×Ｌ）であり、強度が上述の調整値（α×Ｃ）であるノイズ７０を発生している。この場合、第１ノイズ発生部１４は、第１画素グループ５１と第２画素グループ５２の境界を挟んで隣り合う画素であるエッジ部分６０、及び、エッジ部分６０の近傍にノイズ７０を付加する。このとき、第１ノイズ発生部１４は、第１画素グループ５１のレベル値Ａから調整値（α×Ｃ）を減算して第１調整レベル値（Ａ−α×Ｃ）を生成し、第２画素グループ５２のレベル値Ｂに調整値（α×Ｃ）を加算して第２調整レベル値（Ｂ＋α×Ｃ）を生成する。第１ノイズ発生部１４は、第１画素グループ５１の画像データのレベルと、第２画素グループ５２の画像データのレベルとが調整された映像データ５３を、スイッチ１６を介して、駆動部５に出力する。駆動部５は、上述の表示処理（ステップＳ６）を実行する。表示装置本体６に表示された映像データ５３は、視聴者により視認される。
【００６４】
第１ノイズ発生部１４にＣＰＵ１５から遠距離制御信号６８が供給された場合、第１ノイズ付加処理（ステップＳ２５）において、第１ノイズ発生部１４は遠距離制御信号６８に応じて、空間的な幅が上述の第２所定幅Ｌｂ（Ｌ１ｂ＋Ｌ２ｂ）（Ｌｂ＝１．２×Ｌ）であり、強度が上述の調整値（α×Ｃ）であるノイズ７０を発生している。第１ノイズ発生部１４は、第１画素グループ５１と第２画素グループ５２の境界を挟んで隣り合う画素であるエッジ部分６０、及び、エッジ部分６０の近傍にノイズ７０を付加する。このとき、第１ノイズ発生部１４は、第１画素グループ５１のレベル値Ａから調整値（α×Ｃ）を減算して第１調整レベル値（Ａ−α×Ｃ）を生成し、第２画素グループ５２のレベル値Ｂに調整値（α×Ｃ）を加算して第２調整レベル値（Ｂ＋α×Ｃ）を生成する。第１ノイズ発生部１４は、第１画素グループ５１の画像データのレベルと、第２画素グループ５２の画像データのレベルとが調整された映像データ５３を、スイッチ１６を介して、駆動部５に出力する。駆動部５は、上述の表示処理（ステップＳ６）を実行する。表示装置本体６に表示された映像データ５３は、視聴者により視認される。
【００６５】
以上の説明により、本実施形態に係る表示装置１０によれば、第１ノイズ発生部１４を用いて所定幅Ｌと調整値α×Ｃとを有するノイズ７０を発生させることにより、映像データ５３に含まれる静止画像データの第１画素グループ５１と第２画素グループ５２の画像データのレベルを調整する。これにより、焼き付きを低減させ（目立たなくし）、且つ、表示装置本体６の画質の劣化を防止することができる。
【００６６】
また、本実施形態に係る表示装置１０によれば、焼き付きを低減させることにより、表示装置本体６（表示装置１０）の寿命を従来のそれよりも長くすることができる。
【００６７】
（第２の実施形態）
次に、本発明の第２の実施形態について説明する。図７は、本発明の第２実施形態に係る表示装置２０の構成を示すブロック図であり、図８は表示装置本体６を示す前面側（視聴者側）から見た図であり、図９（ａ）及び（ｂ）は表示装置本体６に表示する文字パターンを示す図である。表示装置２０では、表示装置１０と同じ説明を省略する。
【００６８】
表示装置２０は、表示装置１０の構成に対して、距離測定部２２を更に具備する。距離測定部２２は、表示装置本体６と視聴者との距離６９を測定してレベル調整部１３内のＣＰＵ１５に出力する。
【００６９】
レベル調整部１３は、表示装置１０のレベル調整部１３の構成に対して、静止画パターン太さ検出部２１を更に具備する。コアリング１１は、画像データのレベル差Ｃが設定レベル差を超える場合、映像データ５３を静止画パターン太さ検出部２１に出力する。静止画パターン太さ検出部２１は、エッジ部分６０を構成する画素対のうち、各色について、画像データレベルが相対的に高いサブ画素が属する画素、即ち、第１画素グループ５１に属する画素を含み、画像データレベルが相対的に低いサブ画素が属する画素、即ち、第２画素グループ５２に属する画素から遠ざかる方向に連続して配置された複数個の画素であって、サブ画素の画像データレベルが設定値よりも高い画素の個数を高レベル領域の長さとして検出するか、又は、エッジ部分６０を構成する画素対のうち、第２画素グループ５２に属する画素を含み、第１画素グループ５１に属する画素から遠ざかる方向に連続して配置された複数個の画素であって、サブ画素の画像データレベルが設定値よりも低い画素の個数を低レベル領域の長さとして検出するものである。静止画パターン太さ検出部２１は、このようにして映像データ５３に含まれる静止画像データの各画素が構成する画像パターンを検出し、画像パターンの太さを表す画像パターン値をＣＰＵ１５に出力する。
【００７０】
表示装置２０では、表示装置本体６と視聴者との距離６９を測定するために、例えば超音波を用いる。図７に示されるように、距離測定部２２は、超音波発信器２３と、超音波検知器２４と、測定器２５とを含む。超音波発信器２３と超音波検知器２４は、表示装置本体６の正面に設けられている（図８参照）。超音波発信器２３は、表示装置本体６の正面に存在する視聴者に向けて超音波７５を発振する。超音波検知器２４は、表示装置本体６の正面に存在する視聴者に反射された超音波７５を表す反射波７６を検知する。測定器２５は、超音波発信器２３により超音波７５が発振されてから、超音波検知器２４により反射波７６が検知されるまでの時間に基づいて、表示装置本体６と視聴者との距離６９を測定してＣＰＵ１５に出力する。
【００７１】
視聴者は、表示装置本体６に近づくほど、表示装置本体６の画面６’に表示された絵柄の細部まで認識することが出来るが、それと同時にノイズ７０に対しても視覚的な感度が高くなる。その結果、表示装置１０では、視聴者は、エッジ部分６０及びエッジ部分６０の近傍の画質が劣化しているように見えてしまう可能性がある。
【００７２】
そこで、表示装置２０では、視聴者と表示装置本体６との距離６９が近ければノイズ７０の幅を狭くし｛所定幅Ｌ（Ｌ１＋Ｌ２）を第１所定幅Ｌａ（Ｌ１ａ＋Ｌ２ａ）にし｝、視聴者と表示装置本体６との距離６９が離れていればノイズ７０の幅を広くする｛所定幅Ｌ（Ｌ１＋Ｌ２）を第２所定幅Ｌｂ（Ｌ１ｂ＋Ｌ２ｂ）にする｝。これによって、表示装置２０では、視聴者は、エッジ部分６０及びエッジ部分６０の近傍の画質が劣化していると認識しない。
【００７３】
ただし、表示装置１０では、第１ノイズ発生部１４がエッジ部分６０及びエッジ部分６０の近傍に同じ幅｛所定幅Ｌ（Ｌ１＋Ｌ２）、調整値（α×Ｃ）｝のノイズ７０を付加した場合、静止画データの画像パターンの太さが小さいほど、視聴者はノイズ７０によって画像パターンの認識がしづらくなる可能性がある。そこで、静止画データの画像パターン５４の太さが小さい場合、ノイズの幅を小さくする。この場合、表示装置本体６との距離６９が離れていてもノイズの幅は広くせずに一定値に保つ。静止画データの画像パターン５４の太さが大きい場合、ノイズの幅は表示装置本体６との距離６９に応じて制御する。
【００７４】
図９（ａ）に示されるように、表示装置２０では、静止画データの画像パターン５４の太さが小さければ、ノイズ７０の幅｛所定幅Ｌ（Ｌ１＋Ｌ２）｝を狭くし、第１所定幅Ｌａ（Ｌ１ａ＋Ｌ２ａ）と調整値（α×Ｃ）とを有するノイズ７１を発生することによって、視聴者は、エッジ部分６０及びエッジ部分６０の近傍の画質が劣化していると認識しない。このように、表示装置２０では、静止画データの画像パターン５４の太さが小さい場合、静止画データの画像パターン５４の太さによって、ノイズ７０の幅が決まる。
【００７５】
図９（ｂ）に示されるように、表示装置２０では、静止画データの画像パターン５５の太さが大きければ、ノイズ７０の幅｛所定幅Ｌ（Ｌ１＋Ｌ２）｝は視聴者と表示装置本体６との距離に応じてノイズの幅を制御する。
【００７６】
本発明の表示装置２０の動作について説明する。表示装置２０は、（Ｉ）モード設定処理、（ＩＩ）通常動作モード、（ＩＩＩ−１）距離測定部２２によるレベル調整動作モード、（ＩＩＩ−２）ＣＰＵ１５によるレベル調整動作モード、（ＩＶ）レベル調整動作モードを実行する。表示装置２０の（Ｉ）モード設定処理は、表示装置１０の（Ｉ）モード設定処理と同じであり、表示装置２０の（ＩＩ）通常動作モードは、表示装置１０の（ＩＩ）通常動作モードと同じである。
【００７７】
図１０は、本発明の表示装置２０の動作として（ＩＩＩ−１）距離測定部２２によるレベル調整動作モードを示すフローチャートである。
【００７８】
視聴者は、操作スイッチ又はリモート端末を用いて、電源（表示装置２０の電源、表示装置２０に接続されたテレビジョンの電源、表示装置２０に接続されたコンピュータの電源）を表示装置２０に投入する。この場合、超音波発信器２３は、表示装置本体６の正面に存在する視聴者に向けて超音波７５を発振する（ステップＳ３１）。超音波発信器２３から発振された超音波７５は、表示装置本体６の正面に存在する視聴者によって反射される。超音波検知器２４は、その視聴者に反射された反射波７６を検知する（ステップＳ３２）。
【００７９】
測定器２５は、超音波発信器２３により超音波７５が発振されてから、超音波検知器２４により反射波７６が検知されるまでの時間をカウントする。測定器２５は、そのカウント値に基づいて、表示装置本体６と視聴者との距離６９を測定し（ステップＳ３３）、距離６９をデータとしてＣＰＵ１５に出力する（ステップＳ３４）。
【００８０】
図１１は、本発明の表示装置２０の動作として（ＩＩＩ−２）ＣＰＵ１５によるレベル調整動作モードを示すフローチャートである。ＣＰＵ１５は、静止画パターン太さ検出部２１からの画像パターン値に基づいて、静止画データの画像パターンの太さ（画像パターン値）がある一定値（設定画像パターン値）未満であるか否かを調べる（ステップＳ４１）。
【００８１】
静止画データの画像パターンの太さがある一定値未満である場合（ステップＳ４１−ＹＥＳ）、ＣＰＵ１５は、静止画パターン太さ検出部２１からの画像パターン値に基づいて、近距離制御信号６７を第１ノイズ発生部１４に出力する（ステップＳ４２）。この場合、第１ノイズ発生部１４は、ＣＰＵ１５からの近距離制御信号６７に応じて、上述の第１所定幅Ｌａ（Ｌ１ａ＋Ｌ２ａ）と上述の調整値（α×Ｃ）とを有するノイズ７０を発生する。
【００８２】
静止画データの画像パターンの太さがある一定値以上である場合（ステップＳ４１−ＮＯ）、ＣＰＵ１５は、測定器２５からの距離６９が設定距離（設定距離範囲）であるか否かを調べる（ステップＳ４７）。
【００８３】
その結果、距離６９が設定距離である場合（ステップＳ４７−ＹＥＳ）は、ＣＰＵ１５は、距離６９に基づいて、制御信号６６を第１ノイズ発生部１４に出力する（ステップＳ４８）。この場合、第１ノイズ発生部１４は、ＣＰＵ１５からの制御信号６６に応じて、上述の第１所定幅Ｌ（Ｌ１＋Ｌ２）と上述の調整値（α×Ｃ）とを有するノイズ７０を発生する。
【００８４】
また、距離６９が設定距離より短い場合（ステップＳ４７−ＮＯ、Ｓ４３−ＹＥＳ）は、ＣＰＵ１５は、測定器２５からの距離６９に基づいて、近距離制御信号６７を第１ノイズ発生部１４に出力する（ステップＳ４４）。この場合、第１ノイズ発生部１４は、ＣＰＵ１５からの近距離制御信号６７に応じて、上述の第１所定幅Ｌａ（Ｌ１ａ＋Ｌ２ａ）と上述の調整値（α×Ｃ）とを有するノイズ７０を発生する。
【００８５】
更に、距離６９が設定距離より長い場合（ステップＳ４７−ＮＯ、Ｓ４３−ＮＯ、Ｓ４５）は、ＣＰＵ１５は、測定器２５からの距離６９に基づいて、遠距離制御信号６８を第１ノイズ発生部１４に出力する（ステップＳ４６）。第１ノイズ発生部１４は、ＣＰＵ１５からの遠距離制御信号６８に応じて、上述の第２所定幅Ｌｂ（Ｌ１ｂ＋Ｌ２ｂ）と上述の調整値（α×Ｃ）とを有するノイズ７０を発生する。
【００８６】
図１２は、本発明の表示装置２０の動作として（ＩＶ）レベル調整動作モードを示すフローチャートである。
【００８７】
（ＩＶ）レベル調整動作モードにおいて、表示装置２０は、表示装置１０と同じステップＳ５（映像データ変換処理）、Ｓ２１、Ｓ２２（レベル差算出処理）を実行する。
【００８８】
画像データのレベル差Ｃが設定レベル差以下である場合、コアリング１１は、映像データ５３が駆動部５に出力されるように、スイッチ１６を制御する（ステップＳ２３−ＮＯ）。駆動部５は、表示装置１０と同じ表示処理（ステップＳ６）を実行する。表示装置本体６に表示された映像データ５３は、視聴者により視認される。
【００８９】
画像データのレベル差Ｃが設定レベル差を超える場合、コアリング１１は、レベル差Ｃ及び画素グループの位置情報に基づく制御信号を第１ノイズ発生部１４に出力すると共に、映像データ５３を静止画パターン太さ検出部２１に出力する（ステップＳ２３−ＹＥＳ）。静止画パターン太さ検出部２１は、映像データ５３に含まれる静止画像データの各画素が構成する画像パターンを検出して画像パターン値をＣＰＵ１５に出力する（静止画パターン太さ検出処理；ステップＳ５１）。
【００９０】
エッジ部検出処理（ステップＳ２４）、静止画パターン太さ検出処理（ステップＳ５１）が実行された後、第１ノイズ発生部１４は、表示装置１０と同じ第１ノイズ付加処理（ステップＳ２５）を実行し、駆動部５は、表示装置１０と同じ表示処理（ステップＳ６）を実行する。表示装置本体６に表示された映像データ５３は、視聴者により視認される。
【００９１】
以上の説明により、本発明の表示装置２０によれば、表示装置１０の効果に加えて、視聴者は、エッジ部分６０及びエッジ部分６０の近傍の画質が劣化していると認識しない。表示装置本体６とユーザ（視聴者）との距離が設定距離より短い場合、視聴者の視覚的な感度が高くなる。このため、上述の第１の実施形態に係る表示装置１０では、視聴者は、映像データ５３に含まれる静止画像データの第１画素グループ５１及び第２画素グループ５２の画質がノイズ付加によって劣化しているように見えてしまう可能性がある。一方、表示装置本体６とユーザ（視聴者）との距離が設定距離より長い場合、視聴者の視覚的な感度が落ちる。このため、上述の表示装置１０では、視聴者は、映像データ５３に含まれる静止画データの画像パターンを認識しづらくなる可能性がある。本発明の表示装置２０によれば、表示装置本体６とユーザ（視聴者）との距離と、静止画データの画像パターンの太さとによって、所定幅Ｌ（Ｌ１＋Ｌ２）を調整する。これにより、本発明の表示装置２０によれば、視聴者は、エッジ部分６０及びエッジ部分６０の近傍の画質が劣化していると認識しない。
【００９２】
（第３の実施形態）
次に、本発明の第３の実施形態について説明する。図１３は、本発明の第３実施形態に係る表示装置３０の構成を示すブロック図であり、図１４は、横軸に画面上の位置をとり縦軸に画像データのレベルをとって画像データレベルの空間的な分布を示すグラフ図であり、図１５は、横軸にランダム係数αをとり縦軸にその確率をとって、ランダム係数αの確率分布を示すグラフ図である。表示装置３０では、表示装置１０と同じ説明を省略する。
【００９３】
表示装置３０について図１３、図１４、図１５を用いて説明する。表示装置１０、２０においてはランダム係数αの値に対する確率分布は、位置（画素）によらず一様である。表示装置３０では、ランダム係数αの値に対して、位置（画素）によって別々の確率分布を用意する。例えば、確率分布を用いた手法として、図１４に示されるように、エッジ部分６０から離れた所定幅Ｌ１（Ｌ２）内の位置ａ（位置ｆ）において、ランダム係数αとして０から０．１の間の値（図１５参照）を後述のノイズ発生部３１に設定しておく。エッジ部分６０と位置ａ（位置ｆ）との間の所定幅Ｌ１（Ｌ２）内の位置ｂ（位置ｅ）において、ランダム係数αとして０から０．５の間の値（図１５参照）を後述のノイズ発生部３１に設定しておく。エッジ部分６０である位置ｃ（位置ｄ）において、ランダム係数αとして０から１の間の値（図１５参照）を後述のノイズ発生部３１に設定しておく。
【００９４】
この手法を用いることによって、位置ａ（位置ｆ）においてランダム係数αが０から０．１の範囲内であり、位置ｂ（位置ｅ）においてランダム係数αが０から０．５の範囲内であり、位置ｃ（位置ｄ）においてランダム係数αが０から１の範囲内であるときに、所定幅Ｌの画像データレベルを時間平均した場合、図１４に示されるように、第１画素グループ５１及び第２画素グループ５２における画像データレベルの位置変化が緩やかになる。その結果、本実施形態に係る表示装置３０によれば、前述の第１及び第２の実施形態に係る表示装置１０及び２０と比較して、長時間同じ画像パターンの静止画データを表示装置本体６に表示させた場合でも、焼き付きをより確実に防止することができる。
【００９５】
図１３に示されるように、レベル調整部１３の調整部は、表示装置１０における第１ノイズ発生部１４に代えて、第２ノイズ発生部３１を含む。第２ノイズ発生部３１は、第１画素グループ５１及び第２画素グループ５２における画像データレベルを調整するときに、レベル差Ｃに加えて、オリジナルのレベル値Ａ、Ｂが必要であるため、映像信号処理部１からの映像信号５３が入力される。
【００９６】
第２ノイズ発生部３１は、制御信号６６に応じて、所定幅Ｌ（Ｌ１＋Ｌ２）と調整値（α×Ｃ）とを決定する。第２ノイズ発生部３１により決定された調整値（α×Ｃ）は、第１画素グループ５１と第２画素グループ５２の所定幅Ｌ（Ｌ１＋Ｌ２）の中の第１位置の調整値（α×Ｃ）を表す第１分布調整値（α１×Ｃ）と、第１画素グループ５１と第２画素グループ５２の境界を挟んで隣り合う画素であるエッジ部分６０である第２位置の調整値（α×Ｃ）を表す第２分布調整値（α２×Ｃ）とを含む。第１位置は、上記位置ａ、ｂ、ｅ、ｆを含む。第１位置が位置ａ（位置ｆ）である場合、ランダム係数α１は０から０．１の範囲内であり、第１位置が位置ｂ（位置ｅ）である場合、ランダム係数α１は０から０．５の範囲内である。第２位置は位置ｃ（位置ｄ）であり、ランダム係数α２は０から１の範囲内である。
【００９７】
上述の如く、第１画素グループ５１の画像データレベルを表す第１レベル値Ａは、第２画素グループ５２の画像データレベルを表す第２レベル値Ｂより高い。この場合、第２ノイズ発生部３１は、第１画素グループ５１の位置ａの画像データレベルを調整するとき、第１画素グループ５１の位置ａのレベルを表す第１レベル値Ａに第１分布調整値（α１×Ｃ）（α１＝０〜０．１）を減算して第１分布調整レベル値（Ａ−α１×Ｃ）を生成する。第２ノイズ発生部３１は、第１画素グループ５１の位置ｂの画像データレベルを調整するとき、第１画素グループ５１の位置ｂの画像データレベルを表す第１レベル値Ａに第１分布調整値（α１×Ｃ）（α１＝０〜０．５）を減算して第１分布調整レベル値（Ａ−α１×Ｃ）を生成する。第２ノイズ発生部３１は、第１画素グループ５１のエッジ部分６０である位置ｃの画像データレベルを調整するとき、第１画素グループ５１の位置ｃの画像データレベルを表す第１レベル値Ａに第２分布調整値（α２×Ｃ）（α２＝０〜１）を減算して第２分布調整レベル値（Ａ−α２×Ｃ）を生成する。第２ノイズ発生部３１は、第２画素グループ５２のエッジ部分６０である位置ｄの画像データレベルを調整するとき、第２画素グループ５２の位置ｄの画像データレベルを表す第２レベル値Ｂに第２分布調整値（α２×Ｃ）（α２＝０〜１）を加算して第３分布調整レベル値（Ｂ＋α２×Ｃ）を生成する。第２ノイズ発生部３１は、第２画素グループ５２の位置ｅの画像データレベルを調整するとき、第２画素グループ５２の位置ｅの画像データレベルを表す第２レベル値Ｂに第１分布調整値（α１×Ｃ）（α１＝０〜０．５）を加算して第４分布調整レベル値（Ｂ＋α１×Ｃ）を生成する。第２ノイズ発生部３１は、第２画素グループ５２の位置ｆの画像データレベルを調整するとき、第２画素グループ５２の位置ｆの画像データレベルを表す第２レベル値Ｂに第１分布調整値（α１×Ｃ）（α１＝０〜０．１）を加算して第４分布調整レベル値（Ｂ＋α１×Ｃ）を生成する。これにより、第２ノイズ発生部３１は、第１画素グループ５１と第２画素グループ５２の画像データレベルを調整する。
【００９８】
本発明の表示装置３０の動作について説明する。表示装置３０は、（Ｉ）モード設定処理、（ＩＩ）通常動作モード、（ＩＩＩ）ＣＰＵ１５によるレベル調整動作モード、（ＩＶ）レベル調整動作モードを実行する。表示装置３０の（Ｉ）モード設定処理は、表示装置１０の（Ｉ）モード設定処理と同じであり、表示装置３０の（ＩＩ）通常動作モードは、表示装置１０の（ＩＩ）通常動作モードと同じである。
【００９９】
図１６は、本発明の表示装置３０の動作として（ＩＩＩ）ＣＰＵ１５によるレベル調整動作モードを示すフローチャートである。調整値（α×Ｃ）と所定幅Ｌ（Ｌ１＋Ｌ２）は、視聴者により調整可能である。
【０１００】
視聴者が、操作スイッチ又はリモート端末を用いて、表示装置３０に調整信号６３を供給した場合、この調整信号６３はＣＰＵ１５に供給される（ステップＳ１１−ＹＥＳ）。ＣＰＵ１５は、調整信号６３に応じて、制御信号６６を第２ノイズ発生部３１に出力する（ステップＳ６１）。第２ノイズ発生部３１は、ＣＰＵ１５からの制御信号６６に応じて、上述の所定幅Ｌ（Ｌ１＋Ｌ２）と上述の調整値（α×Ｃ）とを決定する。第２ノイズ発生部３１は、ＣＰＵ１５からの制御信号６６により、上記位置ａ及びｂ並びに位置ｅ及びｆを、夫々幅がＬ１である第１画素グループ５１及び幅がＬ２である第２画素グループ５２内で決定する。
【０１０１】
視聴者が、操作スイッチ又はリモート端末を用いて、表示装置３０に近距離調整信号６４を供給した場合、この近距離調整信号６４はＣＰＵ１５に供給される（ステップＳ１１−ＮＯ、Ｓ１３−ＹＥＳ）。ＣＰＵ１５は、近距離調整信号６４に応じて、近距離制御信号６７を第２ノイズ発生部３１に出力する（ステップＳ６２）。第２ノイズ発生部３１は、ＣＰＵ１５からの近距離制御信号６７に応じて、上述の第１所定幅Ｌａ（Ｌ１ａ＋Ｌ２ａ）（Ｌａ＝０．８×Ｌ）を決定する。第２ノイズ発生部３１は、ＣＰＵ１５からの近距離制御信号６７により、上記位置ａ及びｂ並びに位置ｅ及びｆを、夫々幅がＬ１ａである第１画素グループ５１及び幅がＬ２ａである第２画素グループ５２内で決定する。なお、このとき、位置ａ乃至ｆに合わせて、各画素におけるランダム係数αの範囲も調整する。
【０１０２】
視聴者が、操作スイッチ又はリモート端末を用いて、表示装置３０に遠距離調整信号６５を供給した場合、この遠距離調整信号６５はＣＰＵ１５に供給される（ステップＳ１１−ＮＯ、Ｓ１３−ＮＯ、Ｓ１５）。ＣＰＵ１５は、遠距離調整信号６５に応じて、遠距離制御信号６８を第２ノイズ発生部３１に出力する（ステップＳ６３）。第２ノイズ発生部３１は、ＣＰＵ１５からの遠距離制御信号６８に応じて、上述の第２所定幅Ｌｂ（Ｌ１ｂ＋Ｌ２ｂ）（Ｌｂ＝１．２×Ｌ）を決定する。第２ノイズ発生部３１は、ＣＰＵ１５からの遠距離制御信号６８により、上記位置ａ及びｂ並びに位置ｅ及びｆを、夫々幅がＬ１ｂである第１画素グループ５１及び幅がＬ２ｂである第２画素グループ５２内で決定する。なお、このとき、位置ａ乃至ｆに合わせて、各画素におけるランダム係数αの範囲も調整する。
【０１０３】
図１７は、本発明の表示装置３０の動作として（ＩＶ）レベル調整動作モードを示すフローチャートである。（ＩＶ）レベル調整動作モードにおいて、表示装置３０は、表示装置１０の（ＩＶ）レベル調整動作モードのステップＳ５（映像データ変換処理）、Ｓ２１、Ｓ２２（レベル差算出処理）、Ｓ２３、Ｓ２４（エッジ部検出処理）を実行する。エッジ部検出処理（ステップＳ２４）が実行された後、第２ノイズ発生部３１は、レベル調整処理を実行する（ステップＳ７１）。
【０１０４】
レベル調整処理（ステップＳ７１）において、第２ノイズ発生部３１は、ＣＰＵ１５からの制御信号６６に応じて、上述の所定幅Ｌ（Ｌ１＋Ｌ２）と上述の調整値（α×Ｃ）とを決定している。この場合、第２ノイズ発生部３１は、第１画素グループ５１の位置ａの画像データのレベルを表す第１レベル値Ａに第１分布調整値（α１×Ｃ）（α１＝０〜０．１）を減算して第１分布調整レベル値（Ａ−α１×Ｃ）を生成し、第１画素グループ５１の位置ｂの画像データのレベルを表す第１レベル値Ａに第１分布調整値（α１×Ｃ）（α１＝０〜０．５）を減算して第１分布調整レベル値（Ａ−α１×Ｃ）を生成する。第２ノイズ発生部３１は、第１画素グループ５１の位置ｃの画像データのレベルを表す第１レベル値Ａに第２分布調整値（α２×Ｃ）（α２＝０〜１）を減算して第２分布調整レベル値（Ａ−α２×Ｃ）を生成する。第２ノイズ発生部３１は、第２画素グループ５２の位置ｄの画像データのレベルを表す第２レベル値Ｂに第３分布調整値（α２×Ｃ）（α２＝０〜１）を加算して第３分布調整レベル値（Ｂ＋α２×Ｃ）を生成する。第２ノイズ発生部３１は、第２画素グループ５２の位置ｅの画像データのレベルを表す第２レベル値Ｂに第１分布調整値（α１×Ｃ）（α１＝０〜０．５）を加算して第４分布調整レベル値（Ｂ＋α１×Ｃ）を生成し、第２画素グループ５２の位置ｆの画像データのレベルを表す第２レベル値Ｂに第１分布調整値（α１×Ｃ）（α１＝０〜０．１）を加算して第４分布調整レベル値（Ｂ＋α１×Ｃ）を生成する。第２ノイズ発生部３１は、第１画素グループ５１及び第２画素グループ５２の画像データのレベルが調整された映像データ５３を、スイッチ１６を介して、駆動部５に出力する。駆動部５は、表示装置１０と同じ表示処理（ステップＳ６）を実行する。表示装置本体６に表示された映像データ５３は、視聴者により視認される。
【０１０５】
レベル調整処理（ステップＳ７１）において、第２ノイズ発生部３１は、ＣＰＵ１５からの近距離制御信号６７に応じて、上述の第１所定幅Ｌａ（Ｌ１ａ＋Ｌ２ａ）（Ｌａ＝０．８×Ｌ）を決定している。この場合、第２ノイズ発生部３１は、第１画素グループ５１の位置ａの画像データレベルを表す第１レベル値Ａに第１分布調整値（α１×Ｃ）（α１＝０〜０．１）を減算して第１分布調整レベル値（Ａ−α１×Ｃ）を生成し、第１画素グループ５１の位置ｂの画像データレベルを表す第１レベル値Ａに第１分布調整値（α１×Ｃ）（α１＝０〜０．５）を減算して第１分布調整レベル値（Ａ−α１×Ｃ）を生成する。第２ノイズ発生部３１は、第１画素グループ５１の位置ｃの画像データレベルを表す第１レベル値Ａに第２分布調整値（α２×Ｃ）（α２＝０〜１）を減算して第２分布調整レベル値（Ａ−α２×Ｃ）を生成する。第２ノイズ発生部３１は、第１画素グループ５１の位置ｄの画像データレベルを表す第２レベル値Ｂに第２分布調整値（α２×Ｃ）（α２＝０〜１）を加算して第３分布調整レベル値（Ｂ＋α２×Ｃ）を生成する。第２ノイズ発生部３１は、第２画素グループ５２の位置ｅの画像データレベルを表す第２レベル値Ｂに第１分布調整値（α１×Ｃ）（α１＝０〜０．５）を加算して第３分布調整レベル値（Ｂ＋α１×Ｃ）を生成し、第２画素グループ５２の位置ｆの画像データレベルを表す第２レベル値Ｂに第１分布調整値（α１×Ｃ）（α１＝０〜０．１）を加算して第３分布調整レベル値（Ｂ＋α１×Ｃ）を生成する。第２ノイズ発生部３１は、第１画素グループ５１のエッジ部分６０及び所定幅Ｌ１ａの画像データレベルと、第２画素グループ５２のエッジ部分６０及び所定幅Ｌ２ａの画像データレベルとが調整された映像データ５３を、スイッチ１６を介して、駆動部５に出力する。駆動部５は、表示装置１０と同じ表示処理（ステップＳ６）を実行する。表示装置本体６に表示された映像データ５３は、視聴者により視認される。
【０１０６】
レベル調整処理（ステップＳ７１）において、第２ノイズ発生部３１は、ＣＰＵ１５からの遠距離制御信号６８に応じて、上述の第２所定幅Ｌｂ（Ｌ１ｂ＋Ｌ２ｂ）（Ｌｂ＝１．２×Ｌ）を決定している。第２ノイズ発生部３１は、第１画素グループ５１の位置ａの画像データレベルを表す第１レベル値Ａに第１分布調整値（α１×Ｃ）（α１＝０〜０．１）を減算して第１分布調整レベル値（Ａ−α１×Ｃ）を生成し、第１画素グループ５１の位置ｂの画像データレベルを表す第１レベル値Ａに第１分布調整値（α１×Ｃ）（α１＝０〜０．５）を減算して第１分布調整レベル値（Ａ−α１×Ｃ）を生成する。第２ノイズ発生部３１は、第１画素グループ５１の位置ｃの画像データレベルを表す第１レベル値Ａに第２分布調整値（α２×Ｃ）（α２＝０〜１）を減算して第２分布調整レベル値（Ａ−α２×Ｃ）を生成する。第２ノイズ発生部３１は、第１画素グループ５１の位置ｄの画像データレベルを表す第２レベル値Ｂに第２分布調整値（α２×Ｃ）（α２＝０〜１）を加算して第３分布調整レベル値（Ｂ＋α２×Ｃ）を生成する。第２ノイズ発生部３１は、第２画素グループ５２の位置ｅの画像データレベルを表す第２レベル値Ｂに第１分布調整値（α１×Ｃ）（α１＝０〜０．５）を加算して第４分布調整レベル値（Ｂ＋α１×Ｃ）を生成し、第２画素グループ５２の位置ｆの画像データレベルを表す第２レベル値Ｂに第１分布調整値（α１×Ｃ）（α１＝０〜０．１）を加算して第４分布調整レベル値（Ｂ＋α１×Ｃ）を生成する。第２ノイズ発生部３１は、第１画素グループ５１のエッジ部分６０及び所定幅Ｌ１ｂの画像データレベルと、第２画素グループ５２のエッジ部分６０及び所定幅Ｌ２ｂの画像データレベルとが調整された映像データ５３を、スイッチ１６を介して、駆動部５に出力する。駆動部５は、表示装置１０と同じ表示処理（ステップＳ６）を実行する。表示装置本体６に表示された映像データ５３は、視聴者により視認される。
【０１０７】
以上の説明により、本実施形態に係る表示装置３０によれば、第２ノイズ発生部３１を用いて所定幅Ｌ（Ｌ１＋Ｌ２）と調整値（α×Ｃ）とを決定することにより、映像データ５３に含まれる静止画像データの第１画素グループ５１と第２画素グループ５２の画像データのレベルを調整する。これにより、本発明の表示装置３０によれば、焼き付きを低減させ（目立たなくし）、且つ、表示装置本体６の画質の劣化を防止することができる。
【０１０８】
また、本発明の表示装置３０によれば、焼き付きを低減させることにより、表示装置本体６（表示装置３０）の寿命を従来のそれよりも長くすることができる。
【０１０９】
（第４の実施形態）
次に、本発明の第４の実施形態について説明する。図１８は、本発明の第４実施形態に係る表示装置４０の構成を示すブロック図である。表示装置４０では、表示装置１０、２０、３０と同じ説明を省略する。
【０１１０】
レベル調整部１３は、表示装置１０のレベル調整部１３の構成に対して、静止画パターン太さ検出部２１と、第２ノイズ発生部３１と、スイッチ４１とを更に具備する。スイッチ４１は、静止画パターン太さ検出部２１からの信号により切り替わる。
【０１１１】
検出部７は、第１画素グループ５１と第２画素グループ５２の境界を挟んで隣り合う画素をエッジ部分６０として検出して、映像データ５３を静止画パターン太さ検出部２１に出力する。静止画パターン太さ検出部２１は、映像データ５３に含まれる静止画像データの各画素が構成する画像パターンを検出し、画像パターンの太さを表す画像パターン値を生成する。静止画パターン太さ検出部２１は、画像パターン値が設定画像パターン値以上である場合、映像データ５３を第１ノイズ発生部１４に出力し、第１ノイズ発生部１４と駆動部５とがスイッチ１６を介して接続されるように、スイッチ４１を制御する。静止画パターン太さ検出部２１は、画像パターン値が設定画像パターン値より小さい場合、映像データ５３を第２ノイズ発生部３１に出力し、第２ノイズ発生部３１と駆動部５とがスイッチ１６を介して接続されるように、スイッチ４１を制御する。
【０１１２】
第１ノイズ発生部１４、第２ノイズ発生部３１は、第１画素グループ５１及び第２画素グループ５２における画像データのレベルを調整するときに、レベル差Ｃに加えて、オリジナルのレベル値Ａ、Ｂが必要であるため、映像信号処理部１からの映像信号５３が入力される。
【０１１３】
前述の第１の実施形態に係る表示装置１０では、第１ノイズ発生部１４が第１画素グループ５１及び第２画素グループ５２におけるエッジ部分６０とエッジ部分６０以外の部分とに同じ確率分布のノイズ７０、即ち、そのレベルが調整値（Ａ−αＣ）又は調整値（Ｂ＋αＣ）で表せるノイズを付加している。しかしながら、この場合、静止画データの画像パターンの太さが小さいほど、視聴者はノイズ７０によって画像パターンの認識がしづらくなる可能性がある。
【０１１４】
そこで、本実施形態に係る表示装置４０では、静止画データの画像パターンの太さがある一定値（設定画像パターン値）よりも小さければ、第１ノイズ発生部１４がエッジ部分６０及びエッジ部分６０の近傍にノイズを付加せずに、第２ノイズ発生部３１がエッジ部分６０及びエッジ部分６０の近傍の画像データレベルを調整することにより、焼き付きを防止する。
【０１１５】
図２２は、横軸に画面上の位置をとり縦軸に画像データのレベルをとって画像データレベルの空間的な分布を示すグラフ図である。図２２を用いて第２ノイズ発生部３１について説明する。第２ノイズ発生部３１はエッジ部分６０の急激な画像データレベルの位置変化を緩やかにする働きを持つ。具体的な手法としては、エッジ部分６０のレベル差Ｃに調整係数αを掛けて上記第１レベル値Ａから減算し、上記第２レベル値Ｂに加算する。ここでいうαとは０から０．５の間の正数であり、位置ａ、ｂ、ｃ、ｄ、ｅ、ｆの間で決定する。例えば位置ａ（位置ｆ）ではα＝０．０５とし、位置ｂ（位置ｅ）ではα＝０．２５とし、位置ｃ（位置ｄ）ではα＝０．５とすることによって、エッジ部分６０の画像データレベルの位置変化を緩やかにする。ここでいうαはランダムに変化させずに、時間的に一定値に固定する。
【０１１６】
本実施形態に係る表示装置４０の動作について説明する。表示装置４０は、（Ｉ）モード設定処理、（ＩＩ）通常動作モード、（ＩＩＩ）ＣＰＵ１５によるレベル調整動作モード、（ＩＶ）レベル調整動作モードを実行する。表示装置４０の（Ｉ）モード設定処理は、表示装置１０の（Ｉ）モード設定処理と同じであり、表示装置４０の（ＩＩ）通常動作モードは、表示装置１０の（ＩＩ）通常動作モードと同じである。
【０１１７】
図１９は、本実施形態に係る表示装置４０の動作として（ＩＩＩ）ＣＰＵ１５によるレベル調整動作モードを示すフローチャートである。
【０１１８】
視聴者が、操作スイッチ又はリモート端末を用いて、表示装置４０に調整信号６３を供給した場合、この調整信号６３はＣＰＵ１５に供給される（ステップＳ１１−ＹＥＳ）。ＣＰＵ１５は、調整信号６３に応じて、制御信号６６を第１ノイズ発生部１４と第２ノイズ発生部３１とに出力する（ステップＳ８１）。第１ノイズ発生部１４は、ＣＰＵ１５からの制御信号６６に応じて、上述の所定幅Ｌ（Ｌ１＋Ｌ２）と上述の調整値（α×Ｃ）とを有するノイズ７０を発生する。第２ノイズ発生部３１は、ＣＰＵ１５からの制御信号６６に応じて、所定幅Ｌ（Ｌ１＋Ｌ２）と調整値（α×Ｃ）とを決定する。第２ノイズ発生部３１は、ＣＰＵ１５からの制御信号６６により、上記位置ａ、ｂ、ｄ、ｅを所定幅Ｌ（Ｌ１＋Ｌ２）の範囲内で決定する。ただし、第２ノイズ発生部３１におけるαは、ランダムに変化させずに、位置に応じて固定する。
【０１１９】
視聴者が、操作スイッチ又はリモート端末を用いて、表示装置４０に近距離調整信号６４を供給した場合、この近距離調整信号６４はＣＰＵ１５にＣＰＵ１５に供給される（ステップＳ１１−ＮＯ、Ｓ１３−ＹＥＳ）。ＣＰＵ１５は、近距離調整信号６４に応じて、近距離制御信号６７を第１ノイズ発生部１４と第２ノイズ発生部３１とに出力する（ステップＳ８２）。第１ノイズ発生部１４は、ＣＰＵ１５からの近距離制御信号６７に応じて、上述の第１所定幅Ｌａ（Ｌ１ａ＋Ｌ２ａ）（Ｌａ＝０．８×Ｌ）と上述の調整値（α×Ｃ）とを有するノイズ７０を発生する。第２ノイズ発生部３１は、ＣＰＵ１５からの近距離制御信号６７に応じて、上述の第１所定幅Ｌａ（Ｌ１ａ＋Ｌ２ａ）を決定する。第２ノイズ発生部３１は、ＣＰＵ１５からの近距離制御信号６７により、上記位置ａ、ｂ、ｅ、ｆを第１所定幅Ｌａ（Ｌ１ａ＋Ｌ２ａ）の範囲内で決定する。
【０１２０】
視聴者が、操作スイッチ又はリモート端末を用いて、表示装置４０に遠距離調整信号６５を供給した場合、この遠距離調整信号６５はＣＰＵ１５にＣＰＵ１５に供給される（ステップＳ１１−ＮＯ、Ｓ１３−ＮＯ、Ｓ１５）。ＣＰＵ１５は、遠距離調整信号６５に応じて、遠距離制御信号６８を第１ノイズ発生部１４と第２ノイズ発生部３１とに出力する（ステップＳ８３）。第１ノイズ発生部１４は、ＣＰＵ１５からの遠距離制御信号６８に応じて、上述の第２所定幅Ｌｂ（Ｌ１ｂ＋Ｌ２ｂ）（Ｌｂ＝１．２×Ｌ）と上述の調整値（α×Ｃ）とを有するノイズ７０を発生する。第２ノイズ発生部３１は、ＣＰＵ１５からの遠距離制御信号６８に応じて、上述の第２所定幅Ｌｂ（Ｌ１ｂ＋Ｌ２ｂ）を決定する。第２ノイズ発生部３１は、ＣＰＵ１５からの遠距離制御信号６８により、上述の位置ａ、ｂ、ｅ、ｆを第２所定幅Ｌｂ（Ｌ１ｂ＋Ｌ２ｂ）の範囲内で決定する。
【０１２１】
図２０、図２１は、本発明の表示装置４０の動作として（ＩＶ）レベル調整動作モードを示すフローチャートである。（ＩＶ）レベル調整動作モードにおいて、表示装置４０は、表示装置１０の（ＩＶ）レベル調整動作モードのステップＳ５（映像データ変換処理）、Ｓ２１、Ｓ２２（レベル差算出処理）、Ｓ２３を実行する。検出部７は、レベル差Ｃが設定レベル差を超える画素対をエッジ部分６０として検出して、映像データ５３をレベル調整部１３内の静止画パターン太さ検出部２１に出力する（エッジ部検出処理；ステップＳ２４）。静止画パターン太さ検出部２１は、映像データ５３に含まれる静止画像データの各画素が構成する画像パターンを検出して画像パターン値を生成する（静止画パターン太さ検出処理；ステップＳ５１）。静止画パターン太さ検出部２１は、画像パターン値が設定画像パターン値以上であるか否かを調べる（ステップＳ９１）。
【０１２２】
画像パターン値が設定画像パターン値以上である場合、静止画パターン太さ検出部２１は、その情報を第１ノイズ発生部１４に出力し、第１ノイズ発生部１４と駆動部５とがスイッチ１６を介して接続されるように、スイッチ４１を制御する（ステップＳ９１−ＹＥＳ）。この場合、第１ノイズ発生部１４は、表示装置１０と同じ第１ノイズ付加処理を実行する（ステップＳ２５）。
【０１２３】
画像パターン値が設定画像パターン値より小さい場合、静止画パターン太さ検出部２１は、その情報を第２ノイズ発生部３１に出力し、第２ノイズ発生部３１と駆動部５とがスイッチ１６を介して接続されるように、スイッチ４１を制御する（ステップＳ９１−ＮＯ）。第２ノイズ発生部３１は、レベル調整処理を実行する（ステップＳ７１）。
【０１２４】
以上の説明により、本実施形態の表示装置４０によれば、映像データ５３に含まれる静止画データの画像パターンの太さによって、第１ノイズ発生部１４、又は、第２ノイズ発生部３１を用いる。本実施形態の表示装置４０によれば、画像パターン値が設定画像パターン値以上である場合、第１ノイズ発生部１４を用いて所定幅Ｌ（Ｌ１＋Ｌ２）と調整値（α×Ｃ）とを有するノイズ７０を発生させることにより、映像データ５３に含まれる静止画像データのうち、エッジ部分６０を含む画素グループ、即ち、第１画素グループ５１及び第２画素グループ５２の画像データのレベルを調整する。上述の表示装置１０では、第１ノイズ発生部１４がエッジ部分６０及びエッジ部分６０の近傍に同じ幅｛所定幅Ｌ（Ｌ１＋Ｌ２）、調整値（α×Ｃ）｝のノイズ７０を付加した場合、静止画データの画像パターンの太さが小さいほど、視聴者はノイズ７０によって画像パターンの認識がしづらくなる可能性がある。そこで、本発明の表示装置４０によれば、画像パターン値が設定画像パターン値より小さい場合、第２ノイズ発生部３１を用いて所定幅Ｌ（Ｌ１＋Ｌ２）と調整値（α×Ｃ）とを決定することにより、映像データ５３に含まれる静止画像データの第１画素グループ５１と第２画素グループ５２の境界を挟んで隣り合う画素であるエッジ部分６０、及び、エッジ部分６０の近傍の画像データレベルを調整する。これにより、本発明の表示装置４０によれば、焼き付きを低減させ（目立たなくし）、且つ、表示装置本体６の画質の劣化を防止することができる。
【０１２５】
また、本発明の表示装置４０によれば、焼き付きを低減させることにより、表示装置本体６（表示装置４０）の寿命を従来のそれよりも長くすることができる。
【０１２６】
（第５の実施形態）
次に、本発明の第５の実施形態について説明する。図２３は、本発明の第５実施形態に係る表示装置５０の構成を示すブロック図である。表示装置５０では、表示装置１０、２０、３０、４０と同じ説明を省略する。
【０１２７】
図２３に示すように、本実施形態に係る表示部５０のレベル調整部１３は、表示装置１０のレベル調整部１３の構成に対して、静止画パターン太さ検出部２１と、逆エンハンサ部３２と、スイッチ４１とを更に具備する。スイッチ４１は、静止画パターン太さ検出部２１からの信号により切り替わる。
【０１２８】
検出部７は、画像データのレベル差Ｃが設定レベル差以上である画素対をエッジ部分６０として検出し、この画素対における高レベル側の画素（第１の画素）を含み低レベル側の画素（第２の画素）から遠ざかる方向に連続して配置されている所定数の画素を第１画素グループ５１とし、この画素対における低レベル側の画素（第２の画素）を含み高レベル側の画素（第１の画素）から遠ざかる方向に連続して配置されている所定数の画素を第２画素グループ５２として、第１画素グループ５１及び第２画素グループ５２の映像データ５３を静止画パターン太さ検出部２１に出力する。
【０１２９】
静止画パターン太さ検出部２１は、映像データ５３に含まれる静止画像データの各画素が構成する画像パターンを検出し、画像パターンの太さを表す画像パターン値を生成する。静止画パターン太さ検出部２１は、画像パターン値が設定画像パターン値以上である場合、その情報を第１ノイズ発生部１４に出力し、第１ノイズ発生部１４と駆動部５とがスイッチ１６を介して接続されるように、スイッチ４１を制御する。静止画パターン太さ検出部２１は、画像パターン値が設定画像パターン値より小さい場合、その情報を逆エンハンサ部３２に出力し、逆エンハンサ部３２と駆動部５とがスイッチ１６を介して接続されるように、スイッチ４１を制御する。
【０１３０】
第１ノイズ発生部１４、逆エンハンサ部３２は、第１画素グループ５１及び第２画素グループ５２の画像データのレベルを調整するときに、レベル差Ｃに加えて、オリジナルのレベル値Ａ、Ｂが必要であるため、映像信号処理部１からの映像信号５３が入力される。
【０１３１】
前述の第１の実施形態に係る表示装置１０では、第１ノイズ発生部１４が第１画素グループ５１及び第２画素グループ５２におけるエッジ部分６０とエッジ部分６０以外の部分とに同じ確率分布のノイズ７０、即ち、そのレベルが調整値（Ａ−α×Ｃ）又は調整値（Ｂ＋α×Ｃ）で表せるノイズを付加している。しかしながら、この場合、静止画データの画像パターンの太さが小さいほど、視聴者はノイズ７０によって画像パターンの認識がしづらくなる可能性がある。
【０１３２】
そこで、表示装置５０では、静止画データの画像パターンの太さがある一定値（設定画像パターン値）よりも小さければ、第１ノイズ発生部１４が第１画素グループ５１及び第２画素グループ５２にノイズを付加せずに、逆エンハンサ部３２が第１画素グループ５１及び第２画素グループ５２の画像データのレベルを調整することにより、焼き付きを防止する。
【０１３３】
逆エンハンサ部３２が行うレベル調整処理について説明する。逆エンハンサ部３２はエッジ部分６０の急激な画像データレベルの位置変化を緩やかにする働きを持つ。具体的な手法としては、ローパスフィルタを用いて、第１画素グループ５１及び第２画素グループ５２の画像データレベルの位置に対する変化から高周波成分をカットすることにより、この変化を緩やかにする。カットする周波数範囲の下限値が低いほど画像データレベル変化は緩やかになる。
【０１３４】
本実施形態に係る表示装置５０の動作について説明する。表示装置５０は、（Ｉ）モード設定処理、（ＩＩ）通常動作モード、（ＩＩＩ）ＣＰＵ１５によるレベル調整動作モード、（ＩＶ）レベル調整動作モードを実行する。表示装置５０の（Ｉ）モード設定処理は、表示装置１０の（Ｉ）モード設定処理と同じであり、表示装置５０の（ＩＩ）通常動作モードは、表示装置１０の（ＩＩ）通常動作モードと同じである。
【０１３５】
図２４は、本発明の表示装置５０の動作として（ＩＩＩ）ＣＰＵ１５によるレベル調整動作モードを示すフローチャートである。
【０１３６】
視聴者が、操作スイッチ又はリモート端末を用いて、表示装置５０に調整信号６３を供給した場合、この調整信号６３はＣＰＵ１５に供給される（ステップＳ１１−ＹＥＳ）。ＣＰＵ１５は、調整信号６３に応じて、制御信号６６を第１ノイズ発生部１４と逆エンハンサ部３２とに出力する（ステップＳ８４）。第１ノイズ発生部１４は、ＣＰＵ１５からの制御信号６６に応じて、上述の所定幅Ｌ（Ｌ１＋Ｌ２）と上述の調整値（α×Ｃ）とを有するノイズ７０を発生する。逆エンハンサ部３２は、ＣＰＵ１５からの制御信号６６に応じて、エッジ部分６０及びエッジ部分６０の近傍の画像データレベルの高周波成分をカットするための第１カットオフ周波数ｎを決定する。第１カットオフ周波数ｎは、カットする周波数範囲の下限値であり、逆エンハンサ部３２は、第１カットオフ周波数ｎ以上の周波数をカットする。
【０１３７】
視聴者が、操作スイッチ又はリモート端末を用いて、表示装置５０に近距離調整信号６４を供給した場合、この近距離調整信号６４はＣＰＵ１５に供給される（ステップＳ１１−ＮＯ、Ｓ１３−ＹＥＳ）。ＣＰＵ１５は、近距離調整信号６４に応じて、近距離制御信号６７を第１ノイズ発生部１４と逆エンハンサ部３２とに出力する（ステップＳ８５）。第１ノイズ発生部１４は、ＣＰＵ１５からの近距離制御信号６７に応じて、上述の第１所定幅Ｌａ（Ｌ１ａ＋Ｌ２ａ）（Ｌａ＝０．８×Ｌ）と上述の調整値（α×Ｃ）とを有するノイズ７０を発生する。逆エンハンサ部３２は、ＣＰＵ１５からの近距離制御信号６７に応じて、第１カットオフ周波数ｎよりも大きい第２カットオフ周波数ｎａ（ｎａ＞ｎ）とを決定する。
【０１３８】
視聴者が、操作スイッチ又はリモート端末を用いて、表示装置５０に遠距離調整信号６５を供給した場合、この遠距離調整信号６５はＣＰＵ１５に供給される（ステップＳ１１−ＮＯ、Ｓ１３−ＮＯ、Ｓ１５）。ＣＰＵ１５は、遠距離調整信号６５に応じて、遠距離制御信号６８を第１ノイズ発生部１４と逆エンハンサ部３２とに出力する（ステップＳ８６）。第１ノイズ発生部１４は、ＣＰＵ１５からの遠距離制御信号６８に応じて、上述の第２所定幅Ｌｂ（Ｌ１ｂ＋Ｌ２ｂ）（Ｌｂ＝１．２×Ｌ）と上述の調整値（α×Ｃ）とを有するノイズ７０を発生する。逆エンハンサ部３２は、ＣＰＵ１５からの遠距離制御信号６８に応じて、第１カットオフ周波数ｎよりも小さい第３カットオフ周波数ｎｂ（ｎｂ＜ｎ）とを決定する。
【０１３９】
図２０、図２５は、本実施形態の表示装置５０の動作として（ＩＶ）レベル調整動作モードを示すフローチャートである。（ＩＶ）レベル調整動作モードにおいて、表示装置５０は、表示装置１０の（ＩＶ）レベル調整動作モードのステップＳ５（映像データ変換処理）、Ｓ２１、Ｓ２２（レベル差算出処理）、Ｓ２３を実行する。検出部７は、画像データのレベル差Ｃが設定レベル差を超える第１画素グループ５１と第２画素グループ５２の境界を挟んで隣り合う画素をエッジ部分６０として検出して、映像データ５３をレベル調整部１３内の静止画パターン太さ検出部２１に出力する（エッジ部検出処理；ステップＳ２４）。静止画パターン太さ検出部２１は、映像データ５３に含まれる静止画像データの各画素が構成する画像パターンを検出して画像パターン値を生成する（静止画パターン太さ検出処理；ステップＳ５１）。静止画パターン太さ検出部２１は、画像パターン値が設定画像パターン値以上であるか否かを調べる（ステップＳ９１）。
【０１４０】
画像パターン値が設定画像パターン値以上である場合、静止画パターン太さ検出部２１は、その情報を第１ノイズ発生部１４に出力し、第１ノイズ発生部１４と駆動部５とがスイッチ１６を介して接続されるように、スイッチ４１を制御する（ステップＳ９１−ＹＥＳ）。この場合、第１ノイズ発生部１４は、表示装置１０と同じ第１ノイズ付加処理を実行する（ステップＳ２５）。
【０１４１】
画像パターン値が設定画像パターン値より小さい場合、静止画パターン太さ検出部２１は、その情報を逆エンハンサ部３２に出力し、逆エンハンサ部３２と駆動部５とがスイッチ１６を介して接続されるように、スイッチ４１を制御する（ステップＳ９１−ＮＯ）。逆エンハンサ部３２は、逆エンハンサ部レベル調整処理を実行する（ステップＳ７２）。
【０１４２】
逆エンハンサ部レベル調整処理（ステップＳ７２）において、逆エンハンサ部３２は、ＣＰＵ１５からの制御信号６６に応じて、上述の第１カットオフ周波数ｎを決定する。この場合、逆エンハンサ部３２は、第１カットオフ周波数ｎに基づいてエッジ部分６０及びエッジ部分６０の近傍の画像データレベルが調整された映像データ５３を、スイッチ１６を介して、駆動部５に出力する。駆動部５は、表示装置１０と同じ表示処理（ステップＳ６）を実行する。表示装置本体６に表示された映像データ５３は、視聴者により視認される。
【０１４３】
逆エンハンサ部レベル調整処理（ステップＳ７２）において、逆エンハンサ部３２は、ＣＰＵ１５からの近距離制御信号６７に応じて、上述の第２カットオフ周波数ｎａを決定する。この場合、逆エンハンサ部３２は、第２カットオフ周波数ｎａに基づいてエッジ部分６０及びエッジ部分６０の近傍の画像データレベルが調整された映像データ５３を、スイッチ１６を介して、駆動部５に出力する。駆動部５は、表示装置１０と同じ表示処理（ステップＳ６）を実行する。表示装置本体６に表示された映像データ５３は、視聴者により視認される。
【０１４４】
逆エンハンサ部レベル調整処理（ステップＳ７２）において、逆エンハンサ部３２は、ＣＰＵ１５からの遠距離制御信号６８に応じて、上述の第３カットオフ周波数ｎｂを決定する。逆エンハンサ部３２は、第３カットオフ周波数ｎｂに基づいてエッジ部分６０及びエッジ部分６０の近傍の画像データレベルが調整された映像データ５３を、スイッチ１６を介して、駆動部５に出力する。駆動部５は、表示装置１０と同じ表示処理（ステップＳ６）を実行する。表示装置本体６に表示された映像データ５３は、視聴者により視認される。
【０１４５】
以上の説明により、本実施形態に係る表示装置５０によれば、映像データ５３に含まれる静止画データの画像パターンの太さによって、第１ノイズ発生部１４、又は、逆エンハンサ部３２を用いる。本発明の表示装置５０によれば、画像パターン値が設定画像パターン値以上である場合、第１ノイズ発生部１４を用いて所定幅Ｌ（Ｌ１＋Ｌ２）と調整値（α×Ｃ）とを有するノイズ７０を発生させることにより、映像データ５３に含まれる静止画像データの第１画素グループ５１と第２画素グループ５２の境界を挟んで隣り合う画素であるエッジ部分６０、及び、エッジ部分６０の近傍の画像データレベルを調整する。上述の第１の実施形態に係る表示装置１０では、第１ノイズ発生部１４がエッジ部分６０及びエッジ部分６０の近傍に同じノイズ７０を付加しているが、この場合、静止画データの画像パターンの太さが小さいほど、視聴者はノイズ７０によって画像パターンの認識がしづらくなる可能性がある。そこで、本実施形態に係る表示装置５０においては、画像パターン値が設定画像パターン値より小さい場合、逆エンハンサ部３２を用いてカットオフ周波数ｎを決定することにより、映像データ５３に含まれる静止画像データの第１画素グループ５１と第２画素グループ５２のエッジ部分６０、及び、第１画素グループ５１と第２画素グループ５２の境界を挟んで隣り合う画素であるエッジ部分６０の近傍の画像データレベルを調整する。これにより、本実施形態に係る表示装置５０によれば、焼き付きを低減させ（目立たなくし）、且つ、画像パターンの幅が小さい場合においても、表示装置本体６の画質の劣化を防止することができる。
【０１４６】
また、本実施形態に係る表示装置５０によれば、焼き付きを低減させることにより、表示装置本体６（表示装置５０）の寿命を従来のそれよりも長くすることができる。
【０１４７】
なお、上述の第３乃至第５の実施形態においては、静止画パターン太さが大きく、画像パターン値が設定画像パターン値以上である場合には、エッジ部分を含む画素グループにランダムなノイズを与え、静止画パターン太さが小さく、画像パターン値が設定画像パターン値より小さい場合に、視聴者に画質が劣化したと認識させないために、画像データレベルを位置に対して緩やかに変化させる例を示した。例えば、第３の実施形態においては、画像パターン値が設定画像パターン値より小さい場合に、ランダム係数αを位置によって変化させて画像データレベルを時間平均したときに緩やかな変化を実現する例を示した。また、第４の実施形態においては、画像データのレベルを固定することにより、画像データのレベルを位置に対して緩やかに変化させる例を示した。更に、第５の実施形態においてはローパスフィルタを使用することにより、画像データのレベルを位置に対して緩やかに変化させる例を示した。しかしながら、本発明はこれに限定されず、画像パターン値の大きさに拘らず、常に画像データレベルを位置に対して緩やかに変化させてもよい。
【０１４８】
また、上述の第１乃至第５の実施形態に係る表示装置は、モノクロの表示装置であってもよく、カラーの表示装置であってもよい。
【０１４９】
（第６の実施形態）
次に、本発明の第６の実施形態について説明する。図２６は、本発明の第６の実施形態に係る表示装置の構成を示すブロック図であり、図２７（ａ）乃至（ｃ）は、横軸に位置をとり縦軸に画像データのレベルをとって、画像データレベルの空間分布を示すグラフ図であり、（ａ）は３値化処理前の画像データを示し、（ｂ）は３値化処理後の画像データを示し、（ｃ）はレベル調整後の画像データを示す。なお、本実施形態の構成要素のうち、前述の第１の実施形態と同じ構成要素には同じ符号を付し、その詳細な説明を省略する。
【０１５０】
本実施形態に係る表示装置は、例えば、コンピュータの表示装置として使用されるプラズマ表示装置である。図２６に示すように、本実施形態に係る表示装置１１０においては、映像信号処理部１、静止文字領域検出部１１３、３値化部１１４、レベル調整部１３、駆動部５及びＰＤＰ（表示装置本体）６が設けられている。本実施形態に係る表示装置１１０は、前述の第１の実施形態に係る表示装置１０と比較して、静止画像領域検出部３（図１参照）の替わりに静止文字領域検出部１１３が設けられており、検出部７（図１参照）の替わりに３値化部１１４が設けられている点が異なっている。本実施形態は、前述の第１乃至第５の実施形態のように、静止画像領域全体についてレベル調整を行うのではなく、静止画像領域内の文字領域についてのみレベル調整を行うことを特徴としている。これは、文字領域は、文字領域以外の領域、即ち、無地領域又は写真若しくは図形等を表示している領域（以下、文字領域以外の領域を総称して絵領域ともいう）と比較して焼き付きが発生しやすく、また、文字領域において画像レベルの調整を行っても、絵領域において画像レベルの調整を行うよりは、目立ちにくいためである。また、本実施形態は、画像データを３値化処理することにより、エッジ部分の検出を行うことを特徴としている。本実施形態における上記以外の構成は、前述の第１の実施形態と同様である。
【０１５１】
映像信号処理部１は、外部、例えば、テレビジョンのデコーダ又はコンピュータ本体等から入力される映像信号１００を、駆動部５がＰＤＰ６を駆動するのに適した形式の映像データ５３に変換するものである。また、駆動部５は、映像データ５３に基づいてＰＤＰ６を駆動して、ＰＤＰ６に画像を表示させるものである。ＰＤＰ６は一般的なプラズマディスプレイパネルである。
【０１５２】
静止文字領域検出部１１３は、映像信号処理部１から出力された映像データ５３が表す画像に、静止文字領域が含まれるか否かを調べるものである。静止文字領域とは、静止画像領域であって且つ文字領域である領域である。静止文字領域検出部１１３は、画面全体を複数のブロックに分割し、各ブロックについて、静止画像領域であるか否かを判定する。次に、静止画像領域であると判定された各ブロックにおいて、画像データをそのレベルに応じて高レベル、中間レベル、低レベルの３つのレベルに分類する。即ち、図２７（ａ）に示すように、規格化された画像データのレベルｘ（０≦ｘ≦１）を、基準値ａ及びｂ（０≦ａ＜ｂ≦１）と比較し、ｂ＜ｘである場合を高レベルとし、ａ≦ｘ≦ｂである場合を中間レベルとし、ｘ＜ａである場合を低レベルとする。そして、中間レベルの割合が少ないブロックを静止文字領域であると判定する。なお、基準値ａ及びｂの差（ｂ−ａ）は、上述の第１乃至第５の実施形態における設定レベル差に相当する。
【０１５３】
なお、表示装置１１０がカラーの表示装置であり、映像信号１００が、例えば、Ｒ（赤）、Ｇ（緑）及びＢ（青）の３色の画像データを含んでいる場合、静止文字領域検出部１１３は、静止画像領域であると判定された各ブロックについて、ＲＧＢの各色毎に文字領域であるか否かを判定する。又は、静止画像領域であると判定された各ブロックを色毎に３つのサブブロックに分け、このサブブロックについて文字領域であるか否かを判定する。
【０１５４】
文字領域においては、背景色と文字色とが異なっており、通常、背景色の画像データレベルと文字色の画像データレベルとは大きく異なっている。例えば、白地に黒文字が示されている場合には、背景色（白色）の画像データレベルは高く、文字色（黒色）の画像データレベルは低くなっている。従って、このような領域の画像データレベルを、上述の如く３つのレベルに分けた場合、中間レベルの割合が少なくなる。これに対して、絵領域においては、一般に多種類の色彩及び階調が混在するため、このような領域の画像データレベルを３つのレベルに分けると、中間レベルの割合が多くなる。このため、中間レベルの割合を求めることにより、そのブロックが文字領域であるか絵領域であるかを判定することができる。
【０１５５】
なお、カラーで文字を表示している領域は、背景色及び／又は文字色の画像データレベルが中間レベルとなってしまい、文字領域でないと判定される場合もあるが、このような領域は、背景色と文字色との間の画像データのレベル差が小さく、焼き付きが発生しにくいため、問題ない。また、写真又は図形等を表示している領域において、中間レベルの割合が少ない場合もあるが、この場合はこの領域において焼き付きが発生しやすくなるため、このような領域も文字領域として扱う。更に、無地領域において、背景色の画像データレベルが高レベル又は低レベルである場合は、中間レベルの割合が少なくなるため文字領域であると判定されるが、このような領域においてはエッジ部分が存在しないため、レベル調整が施されることがない。従って、文字領域であると判定されても問題はない。
【０１５６】
３値化部１１４は、静止文字領域検出部１１３から映像データ５３が入力され、この映像データ５３のうち、静止文字領域に相当するデータに対して３値化処理を施すものである。図２７（ａ）及び（ｂ）に示すように、３値化処理とは、画像データのレベルｘが高レベル、即ち、ｂ＜ｘ≦１である場合に、画像データのレベルｘを例えば１に置き換え、画像データのレベルｘが中間レベル、即ち、ａ≦ｘ≦ｂである場合に、画像データのレベルｘを例えば０．５に置き換え、画像データのレベルｘが低レベル、即ち、０≦ｘ＜ａである場合に、画像データのレベルｘを例えば０に置き換えて、０乃至１の範囲にあるレベルｘを、例えば、０、０．５、１の３値に置き換えるものである。
【０１５７】
また、３値化部１１４は、高レベル領域と低レベル領域とが中間レベル領域を介さずに直接接している部分を検出し、高レベル領域と低レベル領域との境界をなす画素対をエッジ部分６０として認識する。また、高レベル領域、中間レベル領域及び低レベル領域がこの順に一方向に沿って配置されている部分であって、前記一方向における中間レベル領域の幅が所定値以下である部分を検出し、前記一方向における中間レベル領域の中央に位置する画素対をエッジ部分６０として認識する。このようにして、３値化部１１４は、静止文字領域においてエッジ部分６０を検出する。そして、エッジ部分６０を構成する画素対におけるレベル差Ｃを、３値化処理前の画像データに基づいて算出する。但し、データ処理を簡略化するために、上述の基準値ａ及びｂを使用して、レベル差ＣをＣ＝ｂ−ａとしてもよい。
【０１５８】
更に、３値化部１１４は、検出したエッジ部分６０を構成する画素対のうち、高レベル側の画素（第１の画素）を含み低レベル側の画素（第２の画素）から遠ざかる方向に連続して配列された所定数の画素を第１画素グループ５１とし、前記画素対のうち、低レベル側の画素（第２の画素）を含み高レベル側の画素（第１の画素）から遠ざかる方向に連続して配列された所定数の画素を第２画素グループ５２とする。第１画素グループ５１及び第２画素グループ５２を合わせて画素グループという。そして、３値化部１１４は、画素グループの位置情報及びエッジ部分６０のレベル差に基づく制御信号をレベル調整部１３に対して出力する。
【０１５９】
レベル調整部１３の構成は、前述の第１の実施形態と同様である。即ち、第１ノイズ発生部１４及びＣＰＵ１５（図１参照）が設けられており、映像信号処理部１から出力された映像データ５３が直接入力されるようになっている。図２７（ｃ）に示すように、第１ノイズ発生部１４は、エッジ部分６０を構成する画素対のレベル差Ｃ（図２参照）及びランダム係数αに基づいて、第１画素グループ５１及び第２画素グループ５２の画像データにノイズ７０（図２参照）を付加して、画像データレベルの調整を行うものである。即ち、第１ノイズ発生部１４は、第１画素グループ５１の画像データレベルを（Ａ−α×Ｃ）に置き換え、第２画素グループ５２の画像データレベルを（Ｂ＋α×Ｃ）に置き換える。このとき、ランダム係数αは、前述の第１の実施形態と同様に０≦α≦１としてもよいが、図２７（ｃ）に示すように、０≦α≦０．５としてもよい。なお、図２７（ｃ）においては、図２７（ｂ）との対応を明確にするため、及び図面を簡略化するために、画像データとして３値化処理後のデータを示しているが、実際には、３値化処理を行っていない画像データに対して、画像データレベルの調整を行う。
【０１６０】
また、表示装置１１０には、レベル調整部１３から出力される制御信号に基づいて、映像信号処理部１を静止文字領域検出部１１３に接続するか駆動部５に接続するかを切替えるスイッチ２が設けられている。また、静止文字領域検出部１１３から出力される制御信号に基づいて、静止文字領域検出部１１３を３値化部１１４に接続するかスイッチ１６を介して駆動部５に接続するかを切替えるスイッチ４が設けられている。更に、駆動部５をレベル調整部１３に接続するかスイッチ４を介して静止文字領域検出部１１３に接続するかを切替えるスイッチ１６が設けられている。
【０１６１】
次に、上述の如く構成された本実施形態に係る表示装置の動作について説明する。表示装置１１０は、通常モード及びレベル調整動作モードを切替えて実行することができる。モードの選択は、視聴者が操作スイッチ又はリモート端末等により行うことができる。
【０１６２】
先ず、通常モードにおける表示装置１１０の動作について図２６を参照して説明する。通常モードにおいては、スイッチ２は、映像信号処理部１の出力を駆動部５の入力に接続するようになっている。この状態で、外部、例えば、テレビジョンのデコーダ又はコンピュータ本体から、映像信号１００が表示装置１１０の映像信号処理部１に入力される。映像信号処理部１は、この映像信号１００を、駆動部５がＰＤＰ６を駆動するのに適した映像データ５３に変換し、スイッチ２を介して駆動部５に対して出力する。駆動部５は、この映像データ５３に基づいてＰＤＰ６を駆動し、ＰＤＰ６に映像データ５３に基づいた画像を表示させる。これにより、視聴者は映像データ５３に基づいた画像を観賞することができる。
【０１６３】
次に、レベル調整動作モードにおける表示装置１１０の動作について説明する。図２８は、本実施形態に係る表示装置のレベル調整動作モードにおける動作を示すフローチャートである。以下、図２６、図２７（ａ）乃至（ｃ）及び図２８を参照して説明する。レベル調整動作モードにおいては、スイッチ２は、映像信号処理部１の出力を静止文字領域検出部１１３の入力に接続するようになっている。また、初期状態において、スイッチ１６はスイッチ４を駆動部５に接続するようになっている。
【０１６４】
先ず、図２８のステップＳ１０１に示すように、外部、例えば、テレビジョンのデコーダ又はコンピュータ本体から、映像信号１００が表示装置１１０の映像信号処理部１に入力される。
【０１６５】
次に、ステップＳ１０２に示すように、映像信号処理部１は、この映像信号１００を駆動部５がＰＤＰ６を駆動するのに適した映像データ５３に変換し、スイッチ２を介して静止文字領域検出部１１３に対して出力する。
【０１６６】
次に、ステップＳ１０３に示すように、静止文字領域検出部１１３が、映像データ５３が表す１画面分の画像を複数のブロックに分割し、各ブロック毎に静止画像領域であるか否かを判定する。全てのブロックが静止画像領域でない場合には、ステップＳ１０８に進み、静止文字領域検出部１１３は、スイッチ４を静止文字領域検出部１１３の出力がスイッチ１６に接続されるようにした上で、映像データ５３を出力する。これにより、静止文字領域検出部１１３から出力された映像データ５３は、スイッチ４及び１６を介して駆動部５に入力される。そして、ステップＳ１０９に示すように、駆動部５は、この映像データ５３に基づいてＰＤＰ６を駆動し、ＰＤＰ６に映像データ５３に基づいた画像を表示させる。これにより、視聴者は映像データ５３に基づいた画像を観賞することができる。
【０１６７】
一方、いずれかのブロックが静止画像領域である場合には、ステップＳ１０４に進み、このブロックについて、画像データをそのレベルに応じて高レベル、中間レベル、低レベルの３つのレベルに分類する。即ち、図２７（ａ）に示すように、規格化された画像データのレベルｘ（０≦ｘ≦１）を、基準値ａ及びｂ（０≦ａ＜ｂ≦１）と比較し、ｂ＜ｘである場合を高レベルとし、ａ≦ｘ≦ｂである場合を中間レベルとし、ｘ＜ａである場合を低レベルとする。そして、中間レベルの割合が所定の割合よりも少ないブロックを静止文字領域であると判定する。
【０１６８】
なお、映像信号１００が、例えば、Ｒ（赤）、Ｇ（緑）及びＢ（青）の３色の画像データを含んでいる場合、静止文字領域検出部１１３は、静止画像領域であると判定された各ブロックについて、ＲＧＢの各色毎に文字領域であるか否かを判定する。又は、静止画像領域であると判定された各ブロックを色毎に３つのサブブロックに分け、このサブブロックについて文字領域であるか否かを判定する。
【０１６９】
そして、全てのブロックについて、静止文字領域が検出されなかった場合には、ステップＳ１０８に進み、静止文字領域検出部１１３は、スイッチ４を静止文字領域検出部１１３の出力がスイッチ１６に接続されるようにした上で、映像データ５３を出力する。これにより、ステップＳ１０９に示すように、駆動部５は、この映像データ５３に基づいてＰＤＰ６を駆動し、画像を表示させる。
【０１７０】
一方、いずれかのブロックにおいて静止文字領域が検出された場合には、静止文字領域検出部１１３は、スイッチ４を静止文字領域検出部１１３の出力が３値化部１１４の入力に接続されるようにした上で、映像データ５３を出力する。これにより、映像データ５３が３値化部１１４に入力される。
【０１７１】
次に、ステップＳ１０５に示すように、３値化部１１４は、入力された映像データ５３のうち、静止文字領域に相当するデータに対して３値化処理を施す。即ち、図２７（ａ）及び（ｂ）に示すように、映像データ５３に含まれる画像データのレベルｘが高レベル、即ち、ｂ＜ｘ≦１である場合に、画像データのレベルｘを例えば１に置き換え、画像データのレベルｘが中間レベル、即ち、ａ≦ｘ≦ｂである場合に、画像データのレベルｘを例えば０．５に置き換え、画像データのレベルｘが低レベル、即ち、０≦ｘ＜ａである場合に、画像データのレベルｘを例えば０に置き換える。
【０１７２】
次に、ステップＳ１０６に示すように、３値化部１１４は、高レベル領域と低レベル領域とが中間レベル領域を介さずに直接接している部分を検出し、高レベル領域と低レベル領域との境界をなす画素対をエッジ部分６０として認識する。また、高レベル領域、中間レベル領域及び低レベル領域がこの順に一方向に沿って配置されている部分であって、前記一方向における中間レベル領域の幅が所定値以下である部分を検出し、前記一方向における中間レベル領域の中央に位置する画素対も、エッジ部分６０として認識する。このようにして、３値化部１１４は、静止文字領域においてエッジ部分６０を検出する。
【０１７３】
３値化部１１４において、静止文字領域にエッジ部分６０が検出されなかった場合は、ステップＳ１０８に進み、静止文字領域検出部１１３が駆動部５に対して映像データ５３を出力する。これにより、ステップＳ１０９に示すように、駆動部５は、この映像データ５３に基づいてＰＤＰ６を駆動し、画像を表示させる。
【０１７４】
一方、３値化部１１４において、静止文字領域にエッジ部分６０が検出された場合は、３値化部１１４は、検出したエッジ部分６０を構成する画素対のうち、高レベル側の画素（第１の画素）を含み低レベル側の画素（第２の画素）から遠ざかる方向に連続して配列された所定数の画素を第１画素グループ５１と設定し、前記画素対のうち、低レベル側の画素（第２の画素）を含み高レベル側の画素（第１の画素）から遠ざかる方向に連続して配列された所定数の画素を第２画素グループ５２と設定する。そして、３値化部１１４は、画素グループ（第１画素グループ５１及び第２画素グループ５２）の位置情報及びエッジ部分６０のレベル差の情報をレベル調整部１３に対して出力する。
【０１７５】
次に、ステップＳ１０７に示すように、レベル調整部１３の第１ノイズ発生部１４が、前述の第１の実施形態と同様に、エッジ部分６０を構成する画素対のレベル差Ｃ（図２参照）及びランダム係数αに基づいて、第１画素グループ５１及び第２画素グループ５２の画像データにノイズ７０（図２参照）を付加する。即ち、第１ノイズ発生部１４は、映像信号処理部１からスイッチ２を介して入力された映像データ５３、即ち、３値化処理を行っていないデータについて、第１画素グループ５１の画像データレベルを（Ａ−α×Ｃ）に置き換え、第２画素グループ５２の画像データレベルを（Ｂ＋α×Ｃ）に置き換える。このとき、ランダム係数αは、前述の第１の実施形態と同様に０≦α≦１としてもよく、図２７（ｃ）に示すように、０≦α≦０．５としてもよい。
【０１７６】
そして、ステップＳ１０８に示すように、第１ノイズ発生部１４は、レベル調整後の画素グループ（第１画素グループ５１及び第２画素グループ５２）に相当する画像データを、駆動部５に対して出力する。また、このとき、静止文字領域検出部１１３が、画素グループ以外の画素に相当する画像データ、即ち、レベル調整処理を施していない画像データを駆動部５に対して出力する。このとき、ＣＰＵ１５（図１参照）がスイッチ１６を切替えることにより、画素グループに相当する画像データ、即ち、レベル調整後の画像データは、第１ノイズ発生部１４から駆動部５に入力されるようにし、画素グループ以外の画素に相当する画像データ、即ち、レベル調整を行っていない画像データは、静止文字領域検出部１１３から駆動部５に入力されるようにする。そして、ステップＳ１０９に示すように、この映像データに基づいてＰＤＰ６を駆動し、画像を表示させる。これにより、視聴者は映像データに基づく画像を観賞することができる。
【０１７７】
次に、本実施形態の効果について説明する。本実施形態においては、静止画像領域において静止文字領域を検出し、この静止文字領域についてのみ画像データレベルの調整を行っているため、静止画像領域全体についてレベル調整処理を行う場合と比較して、高速で処理を行うことができる。また、静止文字領域は、背景部分と文字部分との間のコントラストが高く、静止文字領域以外の領域、即ち、無地領域又は写真若しくは図形等を表示している領域等と比較して焼き付きが発生しやすい。また、文字領域において画像レベルの調整を行っても、写真等を表示している領域において画像レベルの調整を行うよりは、目立ちにくい。このため、静止文字領域のみについてレベル調整処理を行うことにより、画像品質の低下を抑制しつつ、効率的に焼き付きを防止することができる。
【０１７８】
また、本実施形態においては、３値化処理を行うことにより、エッジ部分を効率的に検出することができる。本実施形態における上記以外の効果は、前述の第１の実施形態と同様である。
【０１７９】
次に、本第６の実施形態の第１の変形例について説明する。図２９（ａ）乃至（ｃ）は、横軸に位置をとり縦軸に画像データのレベルをとって、画像データレベルの空間分布を示すグラフ図であり、（ａ）はレベル調整前の画像データを示し、（ｂ）は本第１の変形例におけるレベル調整後の画像データを示し、（ｃ）は後述する第２の変形例におけるレベル調整後の画像データを示す。
【０１８０】
前述の第６の実施形態においては、レベル調整を行う画素グループの幅は、画像データの分布によらず一定としている。これに対して、本変形例においては、３値化処理後の画像データを使用して高レベル領域の幅を検出し、この幅に応じて、画素グループ（第１画素グループ５１及び第２画素グループ５２）の幅を調整する。即ち、図２９（ａ）に示すように、高レベル領域１２１の幅Ｗ１は、高レベル領域１２２の幅Ｗ２よりも大きい。このため、図２９（ｂ）に示すように、高レベル領域１２１における画素グループの幅Ｓ１を、高レベル領域１２２における画素グループの幅Ｓ２よりも大きくする。本変形例における上記以外の構成及び動作は、前述の第６の実施形態と同様である。
【０１８１】
本変形例の効果は、静止画パターン太さが小さい場合に、レベル調整処理を目立たなくすることであり、前述の第２の実施形態において、静止画パターン太さに基づいて画素グループの幅を調整した効果と同様である。しかし、本変形例においては、３値化処理後の画像データを使用しているため、高レベル領域の幅を容易に検出することができる。
【０１８２】
次に、前述の第６の実施形態の第２の変形例について説明する。前述の第６の実施形態及びその第１の変形例においては、高レベル側領域である第１画素グループ５１及び低レベル側領域である第２画素グループ５２の双方に対して画像データレベルの調整を行っている。これに対して、本第２の変形例においては、図２９（ｃ）に示すように、高レベル側領域である第１画素グループ５１のみに対して画像データレベルの調整を行う。本変形例における上記以外の構成及び動作は、前述の第１の変形例と同様である。
【０１８３】
通常、蛍光体等の劣化による画素の劣化は、低レベル側領域よりも高レベル側領域において顕著である。また、画像データのレベル調整に伴う画質の劣化は、高レベル側領域の方が目立たない。更に、高レベル側領域のみにおいてレベル調整を行うことにより、レベル調整を施す領域の幅を狭くして画質の劣化を目立たなくすることができる。このように、本変形例においては、高レベル側領域のみにおいてレベル調整を行うことにより、レベル調整に伴う画質の劣化を抑制しつつ、焼き付きを効果的に防止することができる。
【０１８４】
なお、前述の第６の実施形態並びにその第１及び第２の変形例において、前述の第２の実施形態で示したように、表示装置と視聴者との間の距離に応じて、レベル調整を行う画素グループの幅を調整してもよい。また、前述の第６の実施形態並びにその第１及び第２の変形例においては、レベル調整の方法として、前述の第１の実施形態と同様に、画素グループに均一なノイズを付加する例を示したが、本発明はこれに限定されず、前述の第３乃至第５の実施形態で示したように、画像データレベルを位置に対して緩やかに変化させてもよい。即ち、第３の実施形態のように、ランダム係数αを位置によって変化させて画像データレベルの時間平均値において緩やかな変化を実現してもよく、第４の実施形態のように、画像データのレベルを固定して、画像データのレベルを位置に対して緩やかに変化させてもよく、第５の実施形態のように、ローパスフィルタを使用することにより、画像データのレベルを位置に対して緩やかに変化させてもよい。
【０１８５】
また、前述の第３乃至第５の実施形態のように、静止画パターン太さが大きく、画像パターン値が設定画像パターン値以上である場合には、エッジ部分を含む画素グループにランダムなノイズを与え、静止画パターン太さが小さく、画像パターン値が設定画像パターン値より小さい場合に、上述の如く、画像データレベルを位置に対して緩やかに変化させてもよい。更に、表示装置本体として、ＰＤＰの替わりに、ＬＣＤ、ＥＬ又はＣＲＴを使用してもよい。
【０１８６】
（第７の実施形態）
次に、本発明の第７の実施形態について説明する。図３０（ａ）及び（ｂ）は、横軸に位置をとり縦軸に画像データのレベルをとって、画像データレベルの空間分布を示すグラフ図であり、（ａ）はレベル調整前のＲＧＢ各色の画像データを示し、（ｂ）はレベル調整後のＲＢＧ各色の画像データを示す。なお、図３０（ａ）及び（ｂ）の縦軸は、画像データレベルの規格化された値を示している。本実施形態は、カラー表示装置の実施形態である。
【０１８７】
図３０（ａ）に示すように、レベル調整前の画像データにおいて、赤色サブ画素（Ｒ）における第１画素グループ５１のレベル値は１であり、第２の画素グループ５２のレベル値は０である。また、緑色サブ画素（Ｇ）における第１画素グループ５１のレベル値は１であり、第２の画素グループ５２のレベル値は０．５である。更に、青色サブ画素（Ｂ）における第１画素グループ５１のレベル値は０であり、第２の画素グループ５２のレベル値は０である。なお、画像の輝度は、各サブ画素のレベル値の組み合わせにより決定される。
【０１８８】
そして、本実施形態においては、レベル差Ｃは、ＲＧＢ各色について相互に独立して算出する。一方、ランダム係数αは、画素毎にＲＧＢ各色のサブ画素について共通の値を使用する。即ち、図３０（ａ）において、赤色画素におけるレベル差ＣＲを１とし、緑色画素におけるレベル差ＣＧを０．５とし、青色画素におけるレベル差ＣＢを０とする。また、ランダム係数αの値は、例えば０≦α≦０．５の範囲でランダムに選択するが、ある画素に属する赤色サブ画素に適用するランダム係数αと、この画素に属する緑色サブ画素に適用するランダム係数αと、この画素に属する青色サブ画素に適用するランダム係数αとは、相互に同じ値とする。
【０１８９】
これにより、各色の画像データに、図３０（ｂ）に示すようなノイズ７３が付加される。本実施形態においては、ＲＧＢ各色について、画素毎に共通のランダム係数αを使用しているため、微視的にもカラーバランスが大きくずれることがない。このため、レベル調整を施した部分が目立たなく、画質の低下が少ない。本実施形態に係る上記以外の構成、動作及び効果は、前述の第６の実施形態と同様である。即ち、前述の第６の実施形態で示したように、静止文字領域を検出してこの静止文字領域のみにおいて画像データのレベル調整を行い、３値化処理を行うことによりエッジ部分を検出する。
【０１９０】
なお、本実施形態は、前述の第１乃至第５の実施形態に係る表示装置に適用してもよい。即ち、前述の第２の実施形態で示したように、表示装置と視聴者との間の距離に応じて、レベル調整を行う画素グループの幅Ｌを調整してもよい。また、前述の第３乃至第５の実施形態で示したように、画像データレベルを位置に対して緩やかに変化させてもよい。更に、前述の第６の実施形態の第１の変形例のように、文字の太さに応じてレベル調整を行う画素グループの幅を調整してもよく、第６の実施形態の第２の変形例のように、高レベル側領域である第１画素グループのみにおいてレベル調整を行ってもよい。
【０１９１】
（第８の実施形態）
次に、本発明の第８の実施形態について説明する。図３１（ａ）及び（ｂ）は、横軸に位置をとり縦軸に画像データのレベルをとって、画像データレベルの空間分布を示すグラフ図であり、（ａ）はレベル調整前のＲＧＢ各色の画像データを示し、（ｂ）はレベル調整後のＲＢＧ各色の画像データを示す。なお、図３１（ａ）及び（ｂ）の縦軸は、画像データレベルの規格化された値を示している。本実施形態は、カラー表示装置の実施形態である。
【０１９２】
図３１（ａ）に示すように、レベル調整前の画像データにおいて、赤色サブ画素（Ｒ）における第１画素グループ５１のレベル値は１であり、第２の画素グループ５２のレベル値は０である。また、緑色サブ画素（Ｇ）における第１画素グループ５１のレベル値は１であり、第２の画素グループ５２のレベル値は１である。更に、青色サブ画素（Ｂ）における第１画素グループ５１のレベル値は０．５であり、第２の画素グループ５２のレベル値は１である。
【０１９３】
そして、本実施形態においては、ＲＧＢ各色の画像データのレベル値に、画素毎に共通のランダム係数αを乗じる。ランダム係数αの値は、例えば０≦α≦１の範囲でランダムに選択するが、ある画素に属する赤色サブ画素に適用するランダム係数αと、この画素に属する緑色サブ画素に適用するランダム係数αと、この画素に属する青色サブ画素に適用するランダム係数αとは、相互に同じ値とする。即ち、調整前の第１画素グループ５１のレベル値をＡとし、第２画素グループ５２のレベル値をＢとするとき、調整後の第１画素グループ５１のレベル値は（α×Ａ）とし、調整後の第２画素グループ５２のレベル値は（α×Ｂ）とする。このように、本実施形態においては、前述の第７の実施形態とは異なり、画像データのレベル値（Ａ又はＢ）に対して、画像データのレベル差Ｃに基づいた加算及び減算は行わない。この結果、レベル調整後の画像データのレベルは、図３１（ｂ）に示すようになる。
【０１９４】
例えば、調整前の各サブ画素の画像データレベルが図３１（ａ）に示す値をとるとき、ある画素において、α＝０．１であれば、第１画素グループ５１の赤色サブ画素のレベルＡＲは、ＡＲ＝α×Ａ＝０．１×１＝０．１となり、緑色サブ画素のレベルＡＧは、ＡＧ＝α×Ａ＝０．１×１＝０．１となり、青色サブ画素のレベルＡＢは、ＡＢ＝α×Ａ＝０．１×０．５＝０．０５となり、ＲＧＢの比率は、ＡＲ：ＡＧ：ＡＢ＝１：１：０．５となり、調整前の比率が保たれる。また、第２画素グループ５２の赤色サブ画素のレベルＢＲは、ＢＲ＝α×Ｂ＝０．１×０＝０となり、緑色サブ画素のレベルＢＧは、ＢＧ＝α×Ｂ＝０．１×１＝０．１となり、青色サブ画素のレベルＢＢは、ＢＢ＝α×Ｂ＝０．１×１＝０．１となり、ＲＧＢの比率は、ＢＲ：ＢＧ：ＢＢ＝０：１：１となり、調整前の比率が保たれる。
【０１９５】
また、α＝０．５であれば、第１画素グループ５１の赤色サブ画素のレベルＡＲは、ＡＲ＝α×Ａ＝０．５×１＝０．５となり、緑色サブ画素のレベルＡＧは、ＡＧ＝α×Ａ＝０．５×１＝０．５となり、青色サブ画素のレベルＡＢは、ＡＢ＝α×Ａ＝０．５×０．５＝０．２５となり、ＲＧＢの比率は、ＡＲ：ＡＧ：ＡＢ＝１：１：０．５となり、調整前の比率が保たれる。また、第２画素グループ５２の赤色サブ画素のレベルＢＲは、ＢＲ＝α×Ｂ＝０．５×０＝０となり、緑色サブ画素のレベルＢＧは、ＢＧ＝α×Ｂ＝０．５×１＝０．５となり、青色サブ画素のレベルＢＢは、ＢＢ＝α×Ｂ＝０．５×１＝０．５となり、ＲＧＢの比率は、ＢＲ：ＢＧ：ＢＢ＝０：１：１となり、調整前の比率が保たれる。
【０１９６】
このように、本実施形態においては、レベル調整の前後でカラーバランスがほぼ維持され、レベル調整後の画素グループのカラーバランスが、画素グループの両側の領域、即ち、レベル調整を施していない領域におけるカラーバランスに対して、大きくずれることがない。また、ＲＧＢ各色について、画素毎に共通のランダム係数αを使用しているため、微視的にもカラーバランスが大きくずれることがない。このため、レベル調整を施した部分が目立たなく、画質の低下が少ない。本実施形態に係る上記以外の構成、動作及び効果は、前述の第６の実施形態と同様である。即ち、前述の第６の実施形態で示したように、静止文字領域を検出してこの静止文字領域のみにおいて画像データのレベル調整を行い、３値化処理を行うことによりエッジ部分を検出する。
【０１９７】
なお、本実施形態は、前述の第１乃至第５の実施形態に係る表示装置に適用してもよい。例えば、前述の第２の実施形態で示したように、表示装置と視聴者との間の距離に応じて、レベル調整を行う画素グループの幅Ｌを調整してもよい。更に、前述の第６の実施形態の第１の変形例のように、高レベル領域の幅に応じてレベル調整を行う画素グループの幅を調整してもよく、第６の実施形態の第２の変形例のように、高レベル側領域である第１画素グループのみにおいてレベル調整を行ってもよい。
【０１９８】
なお、上述の各実施形態において、画像データのレベル調整は画面の水平方向及び垂直方向の双方について行うことが好ましいが、水平方向のみについて行ってもよい。レベル調整を水平方向のみについて行うことにより、画像データの処理が容易になる。また、上述の各実施形態において、エッジ部分を構成する画素対のレベル差Ｃの値に応じて、レベル調整を行う画素グループの幅Ｌ及び調整係数αの値を調整してもよい。例えば、レベル差Ｃが大きい程、画素グループの幅Ｌを大きくしてもよく、このとき、調整係数αの値又は範囲を段階的又は連続的に変化させて、画素グループ内において、画素データのレベル値が位置に対して緩やかに変化するようにしてもよい。
【産業上の利用可能性】
【０１９９】
本発明は、ＰＤＰ、ＬＣＤ、ＥＬ及びＣＲＴ等の表示装置に好適に利用することができ、特に、静止画像と動画像とを混在して表示することが多いコンピュータ等の表示装置に好適に利用することができる。
【図面の簡単な説明】
【０２００】
【図１】本発明の第１の実施形態に係る表示装置を示すブロック図である。
【図２】横軸に位置をとり縦軸に画像データのレベルをとって、本実施形態における画像データレベルの空間分布を示すグラフ図である
【図３】本実施形態に係る表示装置の動作として（Ｉ）モード設定処理を示すフローチャートである。
【図４】本実施形態に係る表示装置の動作として（ＩＩ）通常動作モードを示すフローチャートである。
【図５】本実施形態に係る表示装置の動作として（ＩＩＩ）ＣＰＵによるレベル調整動作モードを示すフローチャートである。
【図６】本実施形態に係る表示装置の動作として（ＩＶ）レベル調整動作モードを示すフローチャートである。
【図７】本発明の第２の実施形態に係る表示装置を示すブロック図である。
【図８】本実施形態における表示装置本体を示す前面側（視聴者側）から見た図である。
【図９】（ａ）及び（ｂ）は表示装置本体に表示する文字パターンを示す図である。
【図１０】本実施形態に係る表示装置の動作として（ＩＩＩ−１）距離測定部によるレベル調整動作モードを示すフローチャートである。
【図１１】本実施形態に係る表示装置の動作として（ＩＩＩ−２）ＣＰＵによるレベル調整動作モードを示すフローチャートである。
【図１２】本実施形態に係る表示装置の動作として（ＩＶ）レベル調整動作モードを示すフローチャートである。
【図１３】本発明の第３の実施形態に係る表示装置を示すブロック図である。
【図１４】横軸に画面上の位置をとり縦軸に画像データのレベルをとって画像データレベルの空間的な分布を示すグラフ図である。
【図１５】横軸にランダム係数αをとり縦軸にその確率をとって、ランダム係数αの確率分布を示すグラフ図である。
【図１６】本実施形態に係る表示装置の動作として（ＩＩＩ）ＣＰＵ１５によるレベル調整動作モードを示すフローチャートである。
【図１７】本実施形態に係る表示装置の動作として（ＩＶ）レベル調整動作モードを示すフローチャートである。
【図１８】本発明の第４の実施形態に係る表示装置を示すブロック図である。
【図１９】本実施形態に係る表示装置の動作として（ＩＩＩ）ＣＰＵによるレベル調整動作モードを示すフローチャートである。
【図２０】本実施形態に係る表示装置の動作として（ＩＶ）レベル調整動作モードを示すフローチャートである。
【図２１】本実施形態に係る表示装置の動作として（ＩＶ）レベル調整動作モードを示すフローチャートである。
【図２２】横軸に画面上の位置をとり縦軸に画像データのレベルをとって画像データレベルの空間的な分布を示すグラフ図である。
【図２３】本発明の第５の実施形態に係る表示装置を示すブロック図である。
【図２４】本実施形態に係る表示装置の動作として（ＩＩＩ）ＣＰＵによるレベル調整動作モードを示すフローチャートである。
【図２５】本実施形態に係る表示装置の動作として（ＩＶ）レベル調整動作モードを示すフローチャートである。
【図２６】本発明の第６の実施形態に係る表示装置の構成を示すブロック図である。
【図２７】（ａ）乃至（ｃ）は、横軸に位置をとり縦軸に画像データのレベルをとって、画像データレベルの空間分布を示すグラフ図であり、（ａ）は３値化処理前の画像データを示し、（ｂ）は３値化処理後の画像データを示し、（ｃ）はレベル調整後の画像データを示す。
【図２８】本実施形態に係る表示装置のレベル調整動作モードにおける動作を示すフローチャートである。
【図２９】（ａ）乃至（ｃ）は、横軸に位置をとり縦軸に画像データのレベルをとって、画像データレベルの空間分布を示すグラフ図であり、（ａ）はレベル調整前の画像データを示し、（ｂ）は第６の実施形態の第１の変形例におけるレベル調整後の画像データを示し、（ｃ）は第２の変形例におけるレベル調整後の画像データを示す。
【図３０】（ａ）及び（ｂ）は、横軸に位置をとり縦軸に画像データのレベルをとって、本発明の第７の実施形態における画像データレベルの空間分布を示すグラフ図であり、（ａ）はレベル調整前のＲＧＢ各色の画像データを示し、（ｂ）はレベル調整後のＲＢＧ各色の画像データを示す。
【図３１】（ａ）及び（ｂ）は、横軸に位置をとり縦軸に画像データのレベルをとって、本発明の第８の実施形態における画像データレベルの空間分布を示すグラフ図であり、（ａ）はレベル調整前のＲＧＢ各色の画像データを示し、（ｂ）はレベル調整後のＲＢＧ各色の画像データを示す。
【符号の説明】
【０２０１】
１；映像信号処理部
２；スイッチ
３；静止画像領域検出部
４；スイッチ
５；駆動部
６；表示装置本体
６’；画面
７；検出部
９；ＨＰＦ
１０；表示装置
１１；コアリング
１３；レベル調整部
１４；第１ノイズ発生部
１５；ＣＰＵ
１６；スイッチ
１７；静止画像レベル調整部
２０；表示装置
２１；静止画パターン太さ検出部
２２；距離測定部
２３；超音波発振器
２４；超音波センサ
２５；測定器
３０；表示装置
３１；第２ノイズ発生部
３２；逆エンハンサ部
４０；表示装置
４１；スイッチ
５０；表示装置
５１；第１画素グループ
５２；第２画素グループ
５３；映像データ
５４、５５；画像パターン
５６；画像データレベル（時間平均値）
６０；エッジ部分
６１；レベル調整動作設定信号
６２；通常動作設定信号
６３；調整信号
６４；近距離調整信号
６５；遠距離調整信号
６６；制御信号
６７；近距離制御信号
６８；遠距離制御信号
６９；距離
７０、７１、７２、７３；ノイズ
７５；超音波
７６；反射波
１００；映像信号
１１０；表示装置
１１３；静止文字領域検出部
１１４；３値化部
１２１、１２２；高レベル領域
【図１】
0004731182.tif 000002
【図２】
0004731182.tif 000003
【図３】
0004731182.tif 000004
【図４】
0004731182.tif 000005
【図５】
0004731182.tif 000006
【図６】
0004731182.tif 000007
【図７】
0004731182.tif 000008
【図８】
0004731182.tif 000009
【図９】
0004731182.tif 000010
【図１０】
0004731182.tif 000011
【図１１】
0004731182.tif 000012
【図１２】
0004731182.tif 000013
【図１３】
0004731182.tif 000014
【図１４】
0004731182.tif 000015
【図１５】
0004731182.tif 000016
【図１６】
0004731182.tif 000017
【図１７】
0004731182.tif 000018
【図１８】
0004731182.tif 000019
【図１９】
0004731182.tif 000020
【図２０】
0004731182.tif 000021
【図２１】
0004731182.tif 000022
【図２２】
0004731182.tif 000023
【図２３】
0004731182.tif 000024
【図２４】
0004731182.tif 000025
【図２５】
0004731182.tif 000026
【図２６】
0004731182.tif 000027
【図２７】
0004731182.tif 000028
【図２８】
0004731182.tif 000029
【図２９】
0004731182.tif 000030
【図３０】
0004731182.tif 000031
【図３１】
0004731182.tif 000032